(57)【特許請求の範囲】
【請求項１】
無線ローカルエリアネットワークおよびパケットデータ（ＰＳ）サービスドメイン内の通信デバイスと通信するトラステッドゲートウェイに適用される、ＷｉＦｉ端末が前記ＰＳサービスドメインにアクセスするための方法であって、
ＷｉＦｉ端末の認証の後、認証、認可および課金（ＡＡＡ）サーバによって送信された課金要求メッセージ、または、前記ＷｉＦｉ端末によって送信された動的ホスト構成プロトコル（ＤＨＣＰ）要求メッセージを受信するステップと、
前記ＷｉＦｉ端末が前記無線ローカルエリアネットワーク、前記トラステッドゲートウェイ、および、確立された第１のパケット・データ・プロトコル（ＰＤＰ）コンテキスト接続または第１のパケット・データ・ネットワーク（ＰＤＮ）接続を介して前記ＰＳサービスドメインにアクセスするように、前記トラステッドゲートウェイにより、前記課金要求メッセージまたは前記ＤＨＣＰ要求メッセージを受信した後、前記ＷｉＦｉ端末の属性情報に従って前記ＰＳサービスドメインと前記第１のＰＤＰコンテキスト接続または前記第１のＰＤＮ接続を確立するステップと、を有し、前記ＷｉＦｉ端末の属性情報は、前記ＷｉＦｉ端末が前記ＰＳサービスドメインにアクセスするために、前記トラステッドゲートウェイが前記ＰＳサービスドメインと前記第１のＰＤＰコンテキスト接続または前記第１のＰＤＮ接続を確立するために前記ＡＡＡサーバから取得され、
前記ＡＡＡサーバによって送信され、受信された課金要求メッセージは、前記ＷｉＦｉ端末の属性情報を搬送し、前記属性情報は第１のアクセスポイント名を含み、
前記トラステッドゲートウェイにより、前記ＷｉＦｉ端末の属性情報に従って前記ＰＳサービスドメインと第１のＰＤＰコンテキスト接続または第１のＰＤＮ接続を確立するステップは、
前記第１のアクセスポイント名に対応する第１のＧＧＳＮと前記第１のＰＤＰコンテキスト接続を確立するか、または、前記第１のアクセスポイント名に対応する第１のパケット・データ・ネットワーク・ゲートウェイ（Ｐ−ＧＷ）と前記第１のＰＤＮ接続を確立し、前記第１のＧＧＳＮまたは前記第１のＰ−ＧＷによって前記ＷｉＦｉ端末に割り当てられた第１のＩＰアドレスを取得するステップを有し、
前記方法は、
前記トラステッドゲートウェイにより、前記ＰＳサービスドメインと前記第１のＰＤＰコンテキスト接続または前記第１のＰＤＮ接続を確立するステップの後に、
前記ＡＡＡサーバを通して課金要求応答メッセージをアクセスコントローラ（ＡＣ）に送信するステップをさらに有し、前記課金要求応答メッセージは前記第１のＩＰアドレスを搬送する、
方法。
【請求項２】
前記方法は、
前記ＡＡＡサーバによって送信された課金要求メッセージを受信するステップの前に、
前記ＡＣにより、前記ＷｉＦｉ端末を認証し、前記無線ローカルエリアネットワーク内の第２のＩＰアドレスを前記ＷｉＦｉ端末に割り当てるステップをさらに有し、
前記方法は、
前記トラステッドゲートウェイにより、前記第１のＰＤＰコンテキスト接続または前記第１のＰＤＮ接続を確立した後、前記トラステッドゲートウェイが前記ＷｉＦｉ端末によって開始されたアップリンク・データ・トラフィック・フローを受信して前記ＰＳサービスドメインにアクセスするとき、
前記トラステッドゲートウェイにより、前記アップリンク・データ・トラフィック・フローを伝達するデータパケットによって搬送される前記第２のＩＰアドレスを前記第１のＩＰアドレスに変換するステップと、
前記トラステッドゲートウェイにより、前記アップリンク・データ・トラフィック・フローの宛先アドレスおよび前記第１のＩＰアドレスに従って、前記第１のＰＤＰコンテキスト接続または前記第１のＰＤＮ接続を介して、前記アップリンク・データ・トラフィック・フローを伝達するデータパケットを対応するＰＳサービスドメインに送信するステップと、をさらに有し、
前記方法は、
前記トラステッドゲートウェイにより、前記ＰＳサービスドメインと前記第１のＰＤＰコンテキスト接続または前記第１のＰＤＮ接続を確立した後、前記トラステッドゲートウェイが前記ＰＳサービスドメインから前記ＷｉＦｉ端末に送信されたダウンリンク・データ・トラフィック・フローを受信したとき、
前記トラステッドゲートウェイにより、前記ダウンリンク・データ・トラフィック・フローを伝達するデータパケットによって搬送された前記第１のＩＰアドレスを前記第２のＩＰアドレスに変換するステップと、
前記トラステッドゲートウェイにより、前記第２のＩＰアドレスに従って、前記ダウンリンク・データ・トラフィック・フローを伝達するデータパケットを前記ＷｉＦｉ端末に送信するステップと、をさらに有する請求項１に記載の方法。
【請求項３】
前記方法は、
前記ＡＡＡサーバによって送信された課金要求メッセージを受信するステップの前に、
前記ＡＣにより、前記ＷｉＦｉ端末を認証し、前記無線ローカルエリアネットワーク内の第２のＩＰアドレスを前記ＷｉＦｉ端末に割り当てるステップをさらに有し、
前記方法は、
前記トラステッドゲートウェイにより、前記第１のＰＤＰコンテキスト接続または前記第１のＰＤＮ接続を確立した後、前記トラステッドゲートウェイが前記ＷｉＦｉ端末によって開始されたアップリンク・データ・トラフィック・フローを受信して前記ＰＳサービスドメインにアクセスするとき、
前記トラステッドゲートウェイにより、前記アップリンク・データ・トラフィック・フローの宛先アドレスに従って、前記アップリンク・データ・トラフィック・フローの第２のアクセスポイント名を判定し、前記第２のアクセスポイント名に対応する第２のＧＧＳＮと前記第１のＧＧＳＮが同じデバイスでない、または、前記第２のアクセスポイント名に対応する第２のＰ−ＧＷと前記第１のＰ−ＧＷが同じデバイスでないならば、前記第２のＧＧＳＮと第２のＰＤＰコンテキスト接続、または、前記第２のＰ−ＧＷと第２のＰＤＮ接続を確立し、前記ＰＳサービスドメインにアクセスするために前記第２のＧＧＳＮまたは前記第２のＰ−ＧＷによって前記ＷｉＦｉ端末に割り当てられた第３のＩＰアドレスを取得するステップと、
前記トラステッドゲートウェイにより、前記アップリンク・データ・トラフィック・フローを伝達するデータパケットによって搬送された前記第２のＩＰアドレスを前記第３のＩＰアドレスに変換するステップと、
前記トラステッドゲートウェイにより、前記アップリンク・データ・トラフィック・フローの宛先アドレスおよび前記第３のＩＰアドレスに従って、前記第２のＰＤＰコンテキスト接続または前記第２のＰＤＮ接続を介して、前記アップリンク・データ・トラフィック・フローを伝達するデータパケットを対応するＰＳサービスドメインに送信するステップと、をさらに有し、
前記方法は、
前記トラステッドゲートウェイにより、前記第２のＰＤＰコンテキスト接続または前記第２のＰＤＮ接続を確立した後、前記トラステッドゲートウェイが前記第２のＰＤＰコンテキスト接続または前記第２のＰＤＮ接続を介して前記ＰＳサービスドメインから前記ＷｉＦｉ端末に送信されたダウンリンク・データ・トラフィック・フローを受信したとき、
前記トラステッドゲートウェイにより、前記ダウンリンク・データ・トラフィック・フローを伝達するデータパケットによって搬送された前記第３のＩＰアドレスを前記第２のＩＰアドレスに変換するステップと、
前記トラステッドゲートウェイにより、前記第２のＩＰアドレスに従って、前記ダウンリンク・データ・トラフィック・フローを伝達するデータパケットを前記ＷｉＦｉ端末に送信するステップと、をさらに有する請求項１に記載の方法。
【請求項４】
前記ＷｉＦｉ端末によって送信されたＤＨＣＰ要求メッセージを受信するステップの後に、
アクセス要求メッセージを前記ＡＡＡサーバに送信するステップと、
前記ＡＡＡサーバによって送信されたアクセス応答メッセージを受信するステップであって、前記アクセス応答メッセージは前記ＷｉＦｉ端末の属性情報を搬送し、前記属性情報は第１のアクセスポイント名を含むステップと、
をさらに有し、
前記トラステッドゲートウェイにより、前記ＷｉＦｉ端末の属性情報に従って、前記ＰＳサービスドメインと第１のＰＤＰコンテキスト接続または第１のＰＤＮ接続を確立するステップは、
前記第１のアクセスポイント名に対応する第１のＧＧＳＮと前記第１のＰＤＰコンテキスト接続を確立するか、または、前記第１のアクセスポイント名に対応する第１のパケット・データ・ネットワーク・ゲートウェイ（Ｐ−ＧＷ）と前記第１のＰＤＮ接続を確立し、前記第１のＧＧＳＮまたは前記第１のＰ−ＧＷによって前記ＷｉＦｉ端末に割り当てられた第１のＩＰアドレスを取得するステップを有し、
前記トラステッドゲートウェイにより、前記第１のＰＤＰコンテキスト接続または前記第１のＰＤＮ接続を確立するステップの後に、
ＤＨＣＰ応答メッセージを前記ＷｉＦｉ端末に送信するステップであって、前記ＤＨＣＰ応答メッセージは前記第１のＩＰアドレスを搬送するステップをさらに有する請求項１に記載の方法。
【請求項５】
前記トラステッドゲートウェイにより、前記第１のＰＤＰコンテキスト接続または前記第１のＰＤＮ接続を確立するステップの後に、
前記ＷｉＦｉ端末がオフラインに移行した後に、前記トラステッドゲートウェイにより、前記ＡＡＡサーバによって送信された課金終了メッセージを受信するステップと、
前記トラステッドゲートウェイにより、前記第１のＰＤＰコンテキスト接続または前記第１のＰＤＮ接続を削除するステップと、
をさらに有する請求項１から４のいずれか一項に記載の方法。
【請求項６】
前記ＷｉＦｉ端末によって送信されたＤＨＣＰ要求メッセージを受信するステップの前に、
認証要求メッセージを前記ＡＡＡサーバに送信して前記ＡＡＡサーバに前記ＷｉＦｉ端末を認証するように要求するステップと、
前記ＷｉＦｉ端末が認証を完了した後に、前記トラステッドゲートウェイにより、アクセス要求メッセージを前記ＡＡＡサーバに送信するステップと、
前記ＡＡＡサーバによって送信されたアクセス応答メッセージを受信するステップであって、前記アクセス応答メッセージは前記ＷｉＦｉ端末の属性情報を搬送し、前記属性情報は第１のアクセスポイント名を含むステップと、
をさらに有し、
前記トラステッドゲートウェイにより、前記ＷｉＦｉ端末の属性情報に従って前記ＰＳサービスドメインと第１のＰＤＰコンテキスト接続または第１のＰＤＮ接続を確立するステップは、
前記第１のアクセスポイント名に対応する第１のＧＧＳＮと前記第１のＰＤＰコンテキスト接続を確立するか、または、前記第１のアクセスポイント名に対応する第１のパケット・データ・ネットワーク・ゲートウェイ（Ｐ−ＧＷ）と前記第１のＰＤＮ接続を確立し、前記第１のＧＧＳＮまたは前記第１のＰ−ＧＷによって前記ＷｉＦｉ端末に割り当てられた第１のＩＰアドレスを取得するステップを有し、
前記トラステッドゲートウェイにより、前記第１のＰＤＰコンテキスト接続または前記第１のＰＤＮ接続を確立するステップの後に、
ＤＨＣＰ応答メッセージを前記ＷｉＦｉ端末に送信するステップであって、前記ＤＨＣＰ応答メッセージは前記第１のＩＰアドレスを搬送するステップをさらに有する請求項１に記載の方法。
【請求項７】
前記トラステッドゲートウェイにより、前記第１のＰＤＰコンテキスト接続または前記第１のＰＤＮ接続を確立するステップの後に、
前記ＷｉＦｉ端末がオフラインに移行したとき、前記トラステッドゲートウェイにより、課金終了メッセージを前記ＡＡＡサーバに送信するステップと、
前記第１のＰＤＰコンテキスト接続または前記第１のＰＤＮ接続を削除するステップと、
をさらに有する請求項６に記載の方法。
【請求項８】
前記ＷｉＦｉ端末によって送信されたＤＨＣＰ要求メッセージを受信するステップの前に、
アクセスコントローラ（ＡＣ）が前記ＡＡＡサーバに前記ＷｉＦｉ端末を認証するように要求するために使用される認証要求メッセージを前記ＡＡＡサーバに転送するステップと、
前記ＷｉＦｉ端末を認証するＡＡＡサーバから生じた認証応答メッセージをＡＣに転送するステップであって、前記認証応答メッセージは前記ＷｉＦｉ端末の属性情報を搬送するステップと、
前記認証応答メッセージから前記ＷｉＦｉ端末の属性情報を取得するステップであって、前記属性情報は第１のアクセスポイント名を含むステップと、
をさらに有し、
前記トラステッドゲートウェイにより、前記ＷｉＦｉ端末の属性情報に従って前記ＰＳサービスドメインと第１のＰＤＰコンテキスト接続または第１のＰＤＮ接続を確立するステップは、
前記第１のアクセスポイント名に対応する第１のＧＧＳＮと前記第１のＰＤＰコンテキスト接続を確立するか、または、前記第１のアクセスポイント名に対応する第１のパケット・データ・ネットワーク・ゲートウェイ（Ｐ−ＧＷ）と前記第１のＰＤＮ接続を確立し、前記第１のＧＧＳＮまたは前記第１のＰ−ＧＷによって前記ＷｉＦｉ端末に割り当てられた第１のＩＰアドレスを取得するステップを有し、
前記トラステッドゲートウェイにより、前記第１のＰＤＰコンテキスト接続または前記第１のＰＤＮ接続を確立するステップの後に、
ＤＨＣＰ応答メッセージを前記ＷｉＦｉ端末に送信するステップであって、前記ＤＨＣＰ応答メッセージは前記第１のＩＰアドレスを搬送するステップをさらに有する請求項１に記載の方法。
【請求項９】
前記トラステッドゲートウェイにより、前記第１のＰＤＰコンテキスト接続または前記第１のＰＤＮ接続を確立するステップの後に、
前記ＷｉＦｉ端末がオフラインに移行したとき、前記トラステッドゲートウェイにより、前記ＡＣによって送信された課金終了メッセージを前記ＡＡＡサーバに転送するステップと、
前記課金終了メッセージに従って前記第１のＰＤＰコンテキスト接続または前記第１のＰＤＮ接続を削除するステップと、
をさらに有する請求項８に記載の方法。
【請求項１０】
ＷｉＦｉ端末がパケットデータ（ＰＳ）サービスドメインにアクセスするためのトラステッドゲートウェイであって、前記トラステッドゲートウェイは、無線ローカルエリアネットワークおよび前記ＰＳサービスドメイン内の通信デバイスと通信し、
前記トラステッドゲートウェイは、
ＷｉＦｉ端末の認証の後、認証、認可および課金（ＡＡＡ）サーバによって送信された課金要求メッセージ、または、前記ＷｉＦｉ端末によって送信された動的ホスト構成プロトコル（ＤＨＣＰ）要求メッセージを受信するように構成された受信ユニットと、
前記ＷｉＦｉ端末が前記無線ローカルエリアネットワーク、前記トラステッドゲートウェイ、および、確立された第１のパケット・データ・プロトコル（ＰＤＰ）コンテキスト接続または第１のパケット・データ・ネットワーク（ＰＤＮ）接続を介して前記ＰＳサービスドメインにアクセスするように、前記受信ユニットが前記課金要求メッセージまたは前記ＤＨＣＰ要求メッセージを受信した後、前記ＷｉＦｉ端末の属性情報に従って前記ＰＳサービスドメインと前記第１のＰＤＰコンテキスト接続または前記第１のＰＤＮ接続を確立するように構成された接続確立ユニットと、を備え、前記ＷｉＦｉ端末の属性情報は、前記ＷｉＦｉ端末が前記ＰＳサービスドメインにアクセスするために、前記トラステッドゲートウェイが前記ＰＳサービスドメインと前記第１のＰＤＰコンテキスト接続または前記第１のＰＤＮ接続を確立するために前記ＡＡＡサーバから取得され、
送信ユニットをさらに備え、
前記ＡＡＡサーバによって送信され、前記受信ユニットによって受信された課金要求メッセージは、前記ＷｉＦｉ端末の属性情報を搬送し、前記属性情報は第１のアクセスポイント名を含み、
前記接続確立ユニットは、前記第１のアクセスポイント名に対応する第１のＧＧＳＮと前記第１のＰＤＰコンテキスト接続を確立するか、または、前記第１のアクセスポイント名に対応する第１のパケット・データ・ネットワーク・ゲートウェイ（Ｐ−ＧＷ）と前記第１のＰＤＮ接続を確立し、前記第１のＧＧＳＮまたは前記第１のＰ−ＧＷによって前記ＷｉＦｉ端末に割り当てられた第１のＩＰアドレスを取得するように構成され、
前記ＷｉＦｉ端末が前記無線ローカルエリアネットワークを介して前記ＰＳサービスドメインにアクセスするように、前記送信ユニットは、前記接続確立ユニットが前記第１のＰＤＰコンテキスト接続または前記第１のＰＤＮ接続を確立した後に、前記ＡＡＡサーバを通して課金要求応答メッセージをアクセスコントローラ（ＡＣ）に送信するように構成され、前記課金要求応答メッセージは前記第１のＩＰアドレスを搬送する、
トラステッドゲートウェイ。
【請求項１１】
アドレス変換ユニットをさらに備え、
前記アドレス変換ユニットは、
前記ＷｉＦｉ端末によって開始されたアップリンク・データ・トラフィック・フローを伝達するデータパケットによって搬送される第２のＩＰアドレスを前記第１のＩＰアドレスに変換し、
前記ＰＳサービスドメインから前記ＷｉＦｉ端末に送信されたダウンリンク・データ・トラフィック・フローを伝達するデータパケットによって搬送された前記第１のＩＰアドレスを前記第２のＩＰアドレスに変換するように構成され、前記第２のＩＰアドレスは、前記ＡＣがＷｉＦｉ端末を認証した後、アクセスコントローラ（ＡＣ）によって前記ＷｉＦｉ端末に割り当てられた前記無線ローカルエリアネットワーク内のＩＰアドレスであり、
前記送信ユニットは、
前記アップリンク・データ・トラフィック・フローの宛先アドレスおよび前記第１のＩＰアドレスに従って、前記第１のＰＤＰコンテキスト接続または前記第１のＰＤＮ接続を介して、前記アップリンク・データ・トラフィック・フローを伝達するデータパケットを対応するＰＳサービスドメインに送信し、
前記第２のＩＰアドレスに従って、前記ダウンリンク・データ・トラフィック・フローを伝達するデータパケットを前記ＷｉＦｉ端末に送信するように構成された請求項１０に記載のゲートウェイ。
【請求項１２】
前記接続確立ユニットは、さらに、
前記アップリンク・データ・トラフィック・フローの宛先アドレスに従って、前記アップリンク・データ・トラフィック・フローに対応する第２のアクセスポイント名を判定し、前記第２のアクセスポイント名に対応する第２のＧＧＳＮと前記第１のＧＧＳＮが同じデバイスでない、または、前記第２のアクセスポイント名に対応する第２のＰ−ＧＷと前記第１のＰ−ＧＷが同じデバイスでないならば、前記第２のＧＧＳＮと第２のＰＤＰコンテキスト接続、または、前記第２のＰ−ＧＷと第２のＰＤＮ接続を確立し、前記ＰＳサービスドメインにアクセスするために前記第２のＧＧＳＮまたは前記第２のＰ−ＧＷによって前記ＷｉＦｉ端末に割り当てられた第３のＩＰアドレスを取得するように構成され、
前記アドレス変換ユニットは、さらに、
前記アップリンク・データ・トラフィック・フローを伝達するデータパケットによって搬送された前記第２のＩＰアドレスを前記第３のＩＰアドレスに変換し、
前記ダウンリンク・データ・トラフィック・フローを伝達するデータパケットによって搬送された前記第３のＩＰアドレスを前記第２のＩＰアドレスに変換するように構成され、
前記送信ユニットは、さらに、
前記アップリンク・データ・トラフィック・フローの宛先アドレスおよび前記第３のＩＰアドレスに従って、前記第２のＰＤＰコンテキスト接続または前記第２のＰＤＮ接続を介して、前記アップリンク・データ・トラフィック・フローを伝達するデータパケットを対応するＰＳサービスドメインに送信し、
前記第２のＩＰアドレスに従って、前記第２のＰＤＰコンテキスト接続または前記第２のＰＤＮ接続を介して受信され、前記ＰＳサービスドメインによって前記ＷｉＦｉ端末に向けて送信されたダウンリンク・データ・トラフィック・フローのデータパケットを前記ＷｉＦｉ端末に送信するように構成された請求項１１に記載のゲートウェイ。
【請求項１３】
前記受信ユニットは、前記ＷｉＦｉ端末によって送信されたＤＨＣＰ要求メッセージを受信するように構成され、
前記ゲートウェイは、前記受信ユニットが前記ＤＨＣＰ要求メッセージを受信した後に、アクセス要求メッセージを前記ＡＡＡサーバに送信するように構成された送信ユニットをさらに備え、
前記受信ユニットは、さらに、前記ＡＡＡサーバによって送信されたアクセス応答メッセージを受信するように構成され、前記アクセス応答メッセージは前記ＷｉＦｉ端末の属性情報を搬送し、前記属性情報は第１のアクセスポイント名を含み、
前記接続確立ユニットは、前記第１のアクセスポイント名に対応する第１のＧＧＳＮと前記第１のＰＤＰコンテキスト接続を確立するか、または、前記第１のアクセスポイント名に対応する第１のパケット・データ・ネットワーク・ゲートウェイ（Ｐ−ＧＷ）と前記第１のＰＤＮ接続を確立し、前記第１のＧＧＳＮまたは前記第１のＰ−ＧＷによって前記ＷｉＦｉ端末に割り当てられた第１のＩＰアドレスを取得するように構成され、
前記送信ユニットは、さらに、前記接続確立ユニットが前記第１のＰＤＰコンテキスト接続または前記第１のＰＤＮ接続を確立した後に、ＤＨＣＰ応答メッセージを前記ＷｉＦｉ端末に送信するように構成され、前記ＤＨＣＰ応答メッセージは前記第１のＩＰアドレスを搬送する請求項１０に記載のゲートウェイ。
【請求項１４】
前記受信ユニットは、さらに、前記ＷｉＦｉ端末がオフラインに移行した後に、前記ＡＡＡサーバによって送信された課金終了メッセージを受信するように構成され、
前記ゲートウェイは、前記受信ユニットが前記課金終了メッセージを受信した後に、前記第１のＰＤＰコンテキスト接続または前記第１のＰＤＮ接続を削除するように構成された接続削除ユニットをさらに備える請求項１０から１３のいずれか一項に記載のゲートウェイ。
【請求項１５】
前記受信ユニットは、前記ＷｉＦｉ端末によって送信されたＤＨＣＰ要求メッセージを受信するように構成され、
前記ゲートウェイは、送信ユニットをさらに備え、
前記送信ユニットは、認証要求メッセージを前記ＡＡＡサーバに送信して前記ＡＡＡサーバに前記ＷｉＦｉ端末を認証するように要求するように構成され、
前記受信ユニットは、さらに、前記ＡＡＡサーバによって送信されたアクセス応答メッセージを受信するように構成され、前記アクセス応答メッセージは前記ＷｉＦｉ端末の属性情報を搬送し、前記属性情報は第１のアクセスポイント名を含み、
前記接続確立ユニットは、前記第１のアクセスポイント名に対応する第１のＧＧＳＮと前記第１のＰＤＰコンテキスト接続を確立するか、または、前記第１のアクセスポイント名に対応する第１のパケット・データ・ネットワーク・ゲートウェイ（Ｐ−ＧＷ）と前記第１のＰＤＮ接続を確立し、前記第１のＧＧＳＮまたは前記第１のＰ−ＧＷによって前記ＷｉＦｉ端末に割り当てられた第１のＩＰアドレスを取得するように構成され、
前記送信ユニットは、さらに、前記接続確立ユニットが前記第１のＰＤＰコンテキスト接続または前記第１のＰＤＮ接続を確立した後に、ＤＨＣＰ応答メッセージを前記ＷｉＦｉ端末に送信するように構成され、前記ＤＨＣＰ応答メッセージは前記第１のＩＰアドレスを搬送する請求項１０に記載のゲートウェイ。
【請求項１６】
接続削除ユニットをさらに備え、
前記送信ユニットは、さらに、前記ＷｉＦｉ端末がオフラインに移行したとき、課金終了メッセージを前記ＡＡＡサーバに送信するように構成され、
前記接続削除ユニットは、前記送信ユニットが前記課金終了メッセージを前記ＡＡＡサーバに送信した後に、前記第１のＰＤＰコンテキスト接続または前記第１のＰＤＮ接続を削除するように構成された請求項１５に記載のゲートウェイ。
【請求項１７】
送信ユニットと取得ユニットとをさらに備え、
前記送信ユニットは、アクセスコントローラ（ＡＣ）が前記ＡＡＡサーバに前記ＷｉＦｉ端末を認証するように要求するために使用される認証要求メッセージをＡＡＡサーバに転送し、
前記ＷｉＦｉ端末を認証するＡＡＡサーバから生じた認証応答メッセージを前記ＡＣに転送するように構成され、前記認証応答メッセージは前記ＷｉＦｉ端末の属性情報を搬送し、
前記取得ユニットは、前記認証応答メッセージから前記ＷｉＦｉ端末の属性情報を取得するように構成され、前記属性情報は第１のアクセスポイント名を含み、
前記接続確立ユニットは、前記第１のアクセスポイント名に対応する第１のＧＧＳＮと前記第１のＰＤＰコンテキスト接続を確立するか、または、前記第１のアクセスポイント名に対応する第１のパケット・データ・ネットワーク・ゲートウェイ（Ｐ−ＧＷ）と前記第１のＰＤＮ接続を確立し、前記第１のＧＧＳＮまたは前記第１のＰ−ＧＷによって前記ＷｉＦｉ端末に割り当てられた第１のＩＰアドレスを取得するように構成され、
前記送信ユニットは、さらに、前記トラステッドゲートウェイが前記ＰＳサービスドメインと前記第１のＰＤＰコンテキスト接続または前記第１のＰＤＮ接続を確立した後に、ＤＨＣＰ応答メッセージを前記ＷｉＦｉ端末に送信するように構成され、前記ＤＨＣＰ応答メッセージは前記第１のＩＰアドレスを搬送する請求項１０に記載のゲートウェイ。
【請求項１８】
前記送信ユニットは、さらに、前記ＷｉＦｉ端末がオフラインに移行したとき、前記ＡＣによって送信された課金終了メッセージを前記ＡＡＡサーバに転送するように構成され、
前記ゲートウェイは、前記送信ユニットによって転送された課金終了メッセージに従って前記第１のＰＤＰコンテキスト接続または前記第１のＰＤＮ接続を削除するように構成された接続削除ユニットをさらに備える請求項１７に記載のゲートウェイ。
【発明の詳細な説明】
【技術分野】
【０００１】
本発明は、通信技術に関し、より詳しくは、ＷＩＦＩ端末がパケットデータＰＳサービスドメインにアクセスするための方法およびトラステッドゲートウェイ（trusted gateway）に関する。
【背景技術】
【０００２】
移動通信ネットワークおよびＷＬＡＮ（Wireless Local Access Network）の統合が広く要求され、国内および海外の運営者（operator）によって非常に関心が持たれている。運営者は、ＷＬＡＮを通して、ゲーム、ポータルウェブサイト、等のような自己がサポートするＰＳサービスドメインにユーザがアクセスできることを望んでいる。
【０００３】
３ＧＰＰ  Ｒ６  ＴＳ２３．２３４は、２００４年にＷＬＡＮを通して自己がサポートするＰＳ（Packet Switch）サービスドメインにアクセスすることを規定した。しかし、この方式において、ＷｉＦｉ端末はパケット・データ・ゲートウェイと特定のトンネルを確立する必要があり、ユーザは、無線アクセスネットワークの認証およびパケット・データ・ゲートウェイの認証を含めて、最初に２回認証される必要がある。この方法において、ＷｉＦｉ端末はパケット・データ・ゲートウェイとトンネルを確立する方式をサポートする必要があり、これは、ＷｉＦｉ端末の負荷を増加させ、ＷｉＦｉ端末のコストを増加させ、ＷｉＦｉ端末の動作は複雑である。
【発明の概要】
【課題を解決するための手段】
【０００４】
本発明の実施形態は、ＷＩＦＩ端末がパケットデータＰＳサービスドメインにアクセスするための方法およびトラステッドゲートウェイを提供して、関連する技術において既存のＷｉＦｉ端末における負荷および高コストの問題を解決する。
【０００５】
上記の目的を達成するために、本発明の実施形態は次の技術的解決手段を採用する。
【０００６】
無線ローカルエリアネットワークおよびパケットデータＰＳサービスドメイン内の通信デバイスと通信するトラステッドゲートウェイに適用される、ＷｉＦｉ端末が前記ＰＳサービスドメインにアクセスするための方法であって、
認証、認可および課金ＡＡＡサーバによって送信された課金要求メッセージ、または、前記ＷｉＦｉ端末によって送信された動的ホスト構成プロトコルＤＨＣＰ要求メッセージを受信するステップと、
前記ＷｉＦｉ端末が前記無線ローカルエリアネットワーク、前記トラステッドゲートウェイ、および、確立された第１のパケット・データ・プロトコルＰＤＰコンテキスト接続または第１のパケット・データ・ネットワークＰＤＮ接続を介して前記ＰＳサービスドメインにアクセスするように、前記トラステッドゲートウェイにより、前記課金要求メッセージまたは前記ＤＨＣＰ要求メッセージを受信した後、前記ＷｉＦｉ端末の属性情報に従って前記ＰＳサービスドメインと前記第１のＰＤＰコンテキスト接続または前記第１のＰＤＮ接続を確立するステップと、を有し、前記ＷｉＦｉ端末の属性情報は、前記ＷｉＦｉ端末が前記ＰＳサービスドメインにアクセスするために、前記トラステッドゲートウェイが前記ＰＳサービスドメインと前記第１のＰＤＰコンテキスト接続または前記第１のＰＤＮ接続を確立するために前記ＡＡＡサーバから取得される方法。
【０００７】
ＷｉＦｉ端末がパケットデータＰＳサービスドメインにアクセスするためのトラステッドゲートウェイであって、前記トラステッドゲートウェイは、無線ローカルエリアネットワークおよび前記ＰＳサービスドメイン内の通信デバイスと通信し、
前記トラステッドゲートウェイは、
認証、認可および課金ＡＡＡサーバによって送信された課金要求メッセージ、または、前記ＷｉＦｉ端末によって送信された動的ホスト構成プロトコルＤＨＣＰ要求メッセージを受信するように構成された受信ユニットと、
前記ＷｉＦｉ端末が前記無線ローカルエリアネットワーク、前記トラステッドゲートウェイ、および、確立された第１のパケット・データ・プロトコルＰＤＰコンテキスト接続または第１のパケット・データ・ネットワークＰＤＮ接続を介して前記ＰＳサービスドメインにアクセスするように、前記課金要求メッセージまたは前記ＤＨＣＰ要求メッセージを受信した後、前記ＷｉＦｉ端末の属性情報に従って前記ＰＳサービスドメインと前記第１のＰＤＰコンテキスト接続または前記第１のＰＤＮ接続を確立するように構成された接続確立ユニットと、を備え、前記ＷｉＦｉ端末の属性情報は、前記ＷｉＦｉ端末が前記ＰＳサービスドメインにアクセスするために、前記トラステッドゲートウェイが前記ＰＳサービスドメインと前記第１のＰＤＰコンテキスト接続または前記第１のＰＤＮ接続を確立するために前記ＡＡＡサーバから取得されるトラステッドゲートウェイ。
【０００８】
本発明の実施例によって提供される、ＷｉＦｉ端末がＰＳサービスドメインにアクセスするための方法およびトラステッドゲートウェイは、トラステッドゲートウェイがＡＡＡ（Authentication, Authorization, Accounting）サーバによって送信された課金要求メッセージ、または、ＷｉＦｉ端末によって送信されたＤＨＣＰ（Dynamic Host Configuration Protocol）要求メッセージを受信した後、第１のＰＤＰ（Packet Data Protocol）コンテキスト接続または第１のＰＤＮ（Packet Data Network）接続を確立し、トラステッドゲートウェイをＰＳサービスドメインにアクセスするためのアクセスポイントにし、ＷｉＦｉ端末が無線ローカルエリアネットワーク、トラステッドゲートウェイ、および、確立されたＰＤＰコンテキスト接続またはＰＤＮ接続を介してＰＳサービスドメインにアクセスすることを可能にする。この方法において、端末とトラステッドゲートウェイの間に特定のトンネルを確立する必要はなく、ＷｉＦｉ端末は２回認証される必要はなく、これは、ＷｉＦｉ端末の負荷を軽減し、ＷｉＦｉ端末の動作の複雑さおよびコストを減少させる。
【０００９】
本発明の実施例の技術的解決手段または関連する技術をより明確に説明するために、実施例または関連する技術の記載において必要な添付図面についての簡単な説明が以下で与えられる。明らかに、以下に記載する添付図面は本発明のいくつかの実施例に過ぎず、これらに基づいてこの分野の当業者によって創作的な努力なしで他の図面を得ることができる。
【図面の簡単な説明】
【００１０】
【図１】本発明の実施例１のＷＩＦＩ端末がＰＳサービスドメインにアクセスするための方法のフローチャートである。
【図２】本発明の実施例２のＷＩＦＩ端末がＰＳサービスドメインにアクセスするための方法のフローチャートである。
【図３】本発明の実施例３のＷＩＦＩ端末がＰＳサービスドメインにアクセスするためのもう１つの方法のフローチャートである。
【図４】本発明の実施例４のＷＩＦＩ端末がＰＳサービスドメインにアクセスするためのもう１つの方法のフローチャートである。
【図５】本発明の実施例５のＷＩＦＩ端末がＰＳサービスドメインにアクセスするためのもう１つの方法のフローチャートである。
【図６】本発明の実施例６のＷＩＦＩ端末がＰＳサービスドメインにアクセスするためのトラステッドゲートウェイの構成図である。
【図７】本発明の実施例７のＷＩＦＩ端末がＰＳサービスドメインにアクセスするためのもう１つのトラステッドゲートウェイの構成図である。
【図８】本発明の実施例８のＷＩＦＩ端末がＰＳサービスドメインにアクセスするためのもう１つのトラステッドゲートウェイの構成図である。
【図９】本発明の実施例９のＷＩＦＩ端末がＰＳサービスドメインにアクセスするためのもう１つのトラステッドゲートウェイの構成図である。
【発明を実施するための形態】
【００１１】
本発明の実施例における添付図面と組み合わせて、本発明の実施例の技術的解決手段の明確で完結した記載が以下で与えられる。明らかに、以下に記載する実施例は本発明の実施例の一部に過ぎず、全部ではない。本発明の実施例に基づいてこの技術分野の当業者によって創作的な努力なしで得られる他の全ての実施例は、本発明の保護範囲内にある。
【実施例１】
【００１２】
本発明の実施例は、図１に表わされているように、無線ローカルエリアネットワークおよびＰＳサービスドメイン内の通信デバイスと通信するトラステッドゲートウェイに適用される、ＷｉＦｉ端末がＰＳサービスドメインにアクセスするための方法を提供する。この方法は次の処理を含む。
【００１３】
Ｓ１０１、トラステッドゲートウェイは、ＡＡＡ（Authentication, Authorization, and Accounting、認証、認可および課金）サーバによって送信された課金要求メッセージ、または、ＷｉＦｉ端末によって送信されたＤＨＣＰ（Dynamic Host Configuration Protocol、動的ホスト構成プロトコル）要求メッセージを受信する。
【００１４】
ＷｉＦｉ端末が認証された後、トラステッドゲートウェイは、ＡＡＡサーバによって送信された課金要求メッセージ、または、ＷｉＦｉ端末によって送信されたＤＨＣＰ要求メッセージを受信する。課金要求メッセージまたはＤＨＣＰ要求メッセージは、トラステッドゲートウェイによるＰＳサービスドメインとの第１のＰＤＰコンテキスト接続または第１のＰＤＮ接続の確立をトリガするために使用される。
【００１５】
Ｓ１０２、トラステッドゲートウェイは、課金要求メッセージまたはＤＨＣＰ要求メッセージを受信した後、ＷｉＦｉ端末の属性情報に従ってＰＳサービスドメインと第１のＰＤＰコンテキスト接続または第１のＰＤＮ接続を確立し、それによって、ＷｉＦｉ端末は、無線ローカルエリアネットワーク、トラステッドゲートウェイ、および、確立された第１のＰＤＰコンテキスト接続または第１のＰＤＮ接続を介してＰＳサービスドメインにアクセスし、ここで、ＷｉＦｉ端末の属性情報は、ＷｉＦｉ端末がＰＳサービスドメインにアクセスするために、トラステッドゲートウェイがＰＳサービスドメインとの第１のＰＤＰコンテキスト接続または第１のＰＤＮ接続を確立するためにＡＡＡサーバから取得される。
【００１６】
ＷｉＦｉ端末の属性情報は、ＷｉＦｉ端末の第２のＩＰアドレス、ＩＭＳＩ（International Mobile Subscriber Identification）、第１のＡＰＮ（Access Point Name）、ＷｉＦｉ端末のＱｏＳ（Quality of Service）情報、ＷｉＦｉ端末を管理するＡＣ（Access Controller）のＮＡＳ−ＩＤ（Network Access Service-Identity）を含みうる。
【００１７】
ＷｉＦｉ端末の属性情報における第１のＡＰＮまたはＱｏＳ情報は、トラステッドゲートウェイによってＡＡＡサーバから取得することができ、ＡＡＡサーバは運営者と加入の時に合意されたＷｉＦｉ端末の加入情報を記憶する。ＡＰＮおよびＷｉＦｉ端末のＱｏＳ情報が運営者と加入の時に合意されていないならば、トラステッドゲートウェイは、ＷｉＦｉ端末がＰＳサービスドメインにアクセスするために、ＰＳサービスドメインとの第１のＰＤＰコンテキスト接続または第１のＰＤＮ接続の確立において、ＡＰＮおよびＱｏＳの所定のデフォルト値を採用することもできる。
【００１８】
第２世代または第３世代通信ネットワークにおいて、トラステッドゲートウェイが課金要求メッセージまたはＤＨＣＰ要求メッセージを受信した後、トラステッドゲートウェイは、ＷｉＦｉ端末の属性情報に従って第１のＡＰＮに対応する第１のＧＧＳＮ（Gateway GPRS Support Node）との第１のＰＤＰコンテキスト接続を確立する。
【００１９】
ＬＴＥ通信ネットワークにおいて、トラステッドゲートウェイが課金要求メッセージまたはＤＨＣＰ要求メッセージを受信した後、トラステッドゲートウェイは、ＷｉＦｉ端末の属性情報に従って第１のＡＰＮに対応する第１のＰ−ＧＷ（PDN Gateway）との第１のＰＤＮ接続を確立する。
【００２０】
本発明の実施例によって提供される、ＷｉＦｉ端末がＰＳサービスドメインにアクセスするための方法およびトラステッドゲートウェイにおいて、トラステッドゲートウェイがＡＡＡサーバによって送信された課金要求メッセージ、または、ＷｉＦｉ端末によって送信されたＤＨＣＰ要求メッセージを受信した後、トラステッドゲートウェイは、第１のアクセスポイント名に対応する第１のＧＧＳＮとの第１のＰＤＰコンテキスト接続、または、第１のアクセスポイント名に対応する第１のＰ−ＧＷとの第１のＰＤＮ接続を確立し、第１のＧＧＳＮまたは第１のＰ−ＧＷによってＷｉＦｉ端末に割り当てられた第１のＩＰアドレスを取得し、トラステッドゲートウェイをＰＳサービスドメインのアクセスポイントにし、ＷｉＦｉ端末が無線ローカルエリアネットワーク、トラステッドゲートウェイ、および、確立されたＰＤＰコンテキスト接続またはＰＤＮ接続を介してＰＳサービスドメインにアクセスすることを可能にする。この方法において、端末とトラステッドゲートウェイの間に特定のトンネルを確立する必要はなく、ＷｉＦｉ端末は２回認証される必要はなく、これは、ＷｉＦｉ端末の負荷を軽減し、ＷｉＦｉ端末の動作の複雑さおよびコストを減少させる。
【実施例２】
【００２１】
本発明の実施例によって提供される、ＷｉＦｉ端末がＰＳサービスドメインにアクセスするための方法は、トラステッドゲートウェイによって実行される。以下の詳細な説明は、第２世代または第３世代通信ネットワークを一例とする。図２に表わされているように、トラステッドゲートウェイがＡＡＡサーバによって送信された課金要求メッセージを受信すること、トラステッドゲートウェイが第１のＧＧＳＮとの第１のＰＤＰコンテキスト接続を確立することは、具体的には次の処理を含む。
【００２２】
Ｓ２０１、ＡＣは、ＷｉＦｉ端末を認証し、無線ローカルエリアネットワーク内の第２のＩＰアドレスをＷｉＦｉ端末に割り当てる。
【００２３】
ＷｉＦｉ端末が無線ローカルエリアネットワークにアクセスする処理の間、ＷｉＦｉ端末はＡＰ（Access Point）を通してＡＣにアクセスし、ＡＣはＡＡＡサーバにＷｉＦｉ端末を認証するように要求する。具体的な認証形態はＥＡＰ−ＳＩＭ／ＡＫＡ認証またはポータル認証とすることができる。認証が完了した後、ＡＣは、ＢＲＡＳ（Broadband Remote Access Server）または他のＩＰアドレス割り当てサーバに、無線ローカルエリアネットワーク内の第２のＩＰアドレスをＷｉＦｉ端末に割り当てるように要求する。
【００２４】
Ｓ２０２、トラステッドゲートウェイはＡＡＡサーバによって送信された課金要求メッセージを受信し、ここで、課金要求メッセージはＷｉＦｉ端末の属性情報を搬送する。
【００２５】
第２のＩＰアドレスがＷｉＦｉ端末に割り当てられた後、ＡＣは、課金要求メッセージをＡＡＡサーバに送信して、ＡＡＡサーバにＷｉＦｉ端末を課金することを開始するように要求する。ＡＣによって送信された課金要求メッセージに応答して、ＡＡＡサーバはＣＤＲ（calling detail records）を開く。そして、ＡＡＡサーバはＷｉＦｉ端末の属性情報を課金要求メッセージにカプセル化し、ＷｉＦｉ端末の属性情報を搬送する課金要求メッセージをトラステッドゲートウェイに送信する。
【００２６】
そうでなければ、ＡＡＡサーバは、ＡＣによって送信された課金要求メッセージを直接にトラステッドゲートウェイに転送し、ここで、ＷｉＦｉ端末の属性情報はトラステッドゲートウェイにおいて予め決定される。
【００２７】
ここで、ＷｉＦｉ端末の属性情報は、ＷｉＦｉ端末の第２のＩＰアドレス、ＩＭＳＩ、第１のＡＰＮ、ＷｉＦｉ端末のＱｏＳ情報、ＷｉＦｉ端末を管理するＡＣのＮＡＳ−ＩＤを含む。
【００２８】
ＷｉＦｉ端末の属性情報における第１のＡＰＮまたはＱｏＳ情報は、トラステッドゲートウェイによってＡＡＡサーバから取得することができ、ＡＡＡサーバは、運営者と加入の時に合意されたＷｉＦｉ端末の加入情報を記憶する。ＡＰＮおよびＷｉＦｉ端末のＱｏＳ情報が運営者と加入の時に合意されていないならば、トラステッドゲートウェイは、ＷｉＦｉ端末がＰＳサービスドメインにアクセスするために、ＰＳサービスドメインとの第１のＰＤＰコンテキスト接続の確立において、ＡＰＮおよびＱｏＳの所定のデフォルト値を採用することもできる。
【００２９】
Ｓ２０３、トラステッドゲートウェイは、第１のアクセスポイント名に対応する第１のＧＧＳＮと第１のＰＤＰコンテキスト接続を確立し、第１のＧＧＳＮまたは第１のＰ−ＧＷによってＷｉＦｉ端末に割り当てられた第１のＩＰアドレスを取得する。
【００３０】
ＡＡＡサーバによって送信された課金要求メッセージを受信した後、トラステッドゲートウェイは、第１のＡＰＮに対応する第１のＧＧＳＮと第１のＰＤＰコンテキスト接続を確立するようにトリガされる。まず、トラステッドゲートウェイは、第１のＡＰＮ情報に従って、対応するＧＧＳＮをアドレス指定する。例えば、具体的に、第１のＡＰＮがＣＭＮＥＴならば、トラステッドゲートウェイはインターネットにアクセスするＧＧＳＮをアドレス指定することができる。そして、トラステッドゲートウェイは、ＷｉＦｉ端末と、インターネットにアクセスするＧＧＳＮとの間に第１のＰＤＰコンテキスト接続を確立するために、第１のＰＤＰアクティベーション要求メッセージをインターネットにアクセスするＧＧＳＮに送信する。
【００３１】
第１のＰＤＰアクティベーション要求メッセージは、第１のＧＧＳＮとトラステッドゲートウェイの間に第１のＰＤＰコンテキスト接続を確立するために使用される、ＷｉＦｉ端末の属性情報を搬送する。
【００３２】
トラステッドゲートウェイによって送信された第１のＰＤＰアクティベーション要求メッセージを受信した後、第１のＧＧＳＮは第１のＩＰアドレスをＷｉＦｉ端末に割り当て、ここで、第１のＩＰアドレスはＷｉＦｉ端末がＰＳサービスドメインにアクセスするために使用される。そして、第１のＧＧＳＮは第１のＰＤＰアクティベーション応答メッセージをトラステッドゲートウェイに返信し、ここで、第１のＰＤＰアクティベーション応答メッセージは第１のＧＧＳＮによって割り当てられた第１のＩＰアドレスを搬送する。
【００３３】
トラステッドゲートウェイは第１のＧＧＳＮから返信された第１のＰＤＰアクティベーション応答メッセージを受信し、第１のＰＤＰアクティベーション応答メッセージによって搬送された第１のＩＰアドレスに従って、無線ローカルエリアネットワーク内のＷｉＦｉ端末のセッション情報と、ＰＳサービスドメイン内のＷｉＦｉ端末のセッション情報との間の対応関係を確立する。すなわち、無線ローカルエリアネットワークのセッション情報は、ＷｉＦｉ端末の第２のＩＰアドレス、ＷｉＦｉ端末を管理するＡＣのＮＡＳ−ＩＤ、等を含む。ＰＳサービスドメイン内のＷｉＦｉ端末のセッション情報は、第１のＩＰアドレス、および、第１のＰＤＰコンテキスト接続を確立するトラステッドゲートウェイと、第１のＧＧＳＮとの間のバインディングＧＴＰトンネル情報を含む。無線ローカルエリアネットワーク内のＷｉＦｉ端末のセッション情報と、トラステッドゲートウェイによって確立されたＰＳサービスドメイン内のＷｉＦｉ端末のセッション情報との間の対応関係は、この対応関係に従って、それぞれ、ＷｉＦｉ端末によって開始されたアップリンク・データ・トラフィック・フローを対応するＰＳサービスドメインにルーティングし、または、ＰＳサービスドメインによってＷｉＦｉ端末に向けて送信されたダウンリンク・データ・トラフィック・フローをＷｉＦｉ端末にルーティングするために使用される。
【００３４】
Ｓ２０４、トラステッドゲートウェイが第１のＰＤＰコンテキスト接続を確立した後、トラステッドゲートウェイはＡＡＡサーバを通して課金要求応答メッセージをアクセスコントローラＡＣに送信し、ここで、課金要求応答メッセージは第１のＩＰアドレスを搬送し、それによって、ＷｉＦｉ端末は無線ローカルエリアネットワークを通してＰＳサービスドメインにアクセスする。
【００３５】
トラステッドゲートウェイが第１のＧＧＳＮと第１のＰＤＰコンテキスト接続を確立した後、トラステッドゲートウェイは課金要求応答メッセージをＡＡＡサーバに送信し、ＡＡＡサーバは課金要求応答メッセージをＡＣに転送し、それによって、ＷｉＦｉ端末は無線ローカルエリアネットワークを通してＰＳサービスドメインにアクセスする。
【００３６】
さらに、トラステッドゲートウェイが第１のＰＤＰコンテキスト接続を確立した後、かつ、トラステッドゲートウェイがＷｉＦｉ端末によって開始されたＰＳサービスドメインにアクセスするアップリンク・データ・トラフィック・フローを受信したとき、トラステッドゲートウェイは、アップリンク・データ・トラフィック・フローを伝達するデータパケットによって搬送される第２のＩＰアドレスを第１のＩＰアドレスに変換する。トラステッドゲートウェイは、アップリンク・データ・トラフィック・フローの宛先アドレスおよび第１のＩＰアドレスに従って、第１のＰＤＰコンテキスト接続を介して、アップリンク・データ・トラフィック・フローを伝達するデータパケットを対応するＰＳサービスドメインに送信する。
【００３７】
例えば、ＷｉＦｉ端末がインターネットサービスにアクセスするとき、ＡＣがＷｉＦｉ端末によって開始されたインターネットサービスにアクセスするアップリンク・データ・トラフィック・フローを受信した後、ＡＣはアップリンク・データ・トラフィック・フローをトラステッドゲートウェイに転送し、トラステッドゲートウェイは、無線ローカルエリアネットワーク内のＷｉＦｉ端末のセッション情報と、トラステッドゲートウェイにおいて確立されたＰＳサービスドメイン内のＷｉＦｉ端末のセッション情報との間の対応関係に従って、アップリンク・データ・トラフィック・フローを伝達するデータパケットによって搬送された第２のＩＰアドレスを第１のＩＰアドレスに変換する。
【００３８】
そして、トラステッドゲートウェイは、アップリンク・データ・トラフィック・フローの宛先アドレスおよび第１のＩＰアドレスに従って、第１のＰＤＰコンテキスト接続を介して、アップリンク・データ・トラフィック・フローを伝達するデータパケットを対応するＰＳサービスドメインに送信する。
【００３９】
これと対応して、トラステッドゲートウェイがＰＳサービスドメインからＷｉＦｉ端末に送信されたダウンリンク・データ・トラフィック・フローを伝達するデータパケットを受信したとき、トラステッドゲートウェイはダウンリンク・データ・トラフィック・フローを伝達するデータパケットによって搬送された第１のＩＰアドレスを第２のＩＰアドレスに変換し、トラステッドゲートウェイは、第２のＩＰアドレスに従って、ダウンリンク・データ・トラフィック・フローを伝達するデータパケットをＷｉＦｉ端末に送信する。
【００４０】
具体的には、トラステッドゲートウェイは、無線ローカルエリアネットワーク内のＷｉＦｉ端末のセッション情報と、トラステッドゲートウェイにおいて確立されたＰＳサービスドメイン内のＷｉＦｉ端末のセッション情報との間の対応関係に従って、ダウンリンク・データ・トラフィック・フローを伝達するデータパケットによって搬送された第１のＩＰアドレスを第２のＩＰアドレスに変換する。トラステッドゲートウェイは、第２のＩＰアドレスに従って、ダウンリンク・データ・トラフィック・フローを伝達するデータパケットをＷｉＦｉ端末に送信する。
【００４１】
さらに、トラステッドゲートウェイが第１のＰＤＰコンテキスト接続を確立した後、かつ、トラステッドゲートウェイがＷｉＦｉ端末によって開始されたＰＳサービスドメインにアクセスするアップリンク・データ・トラフィック・フローを受信したとき、トラステッドゲートウェイは、アップリンク・データ・トラフィック・フローの宛先アドレスに従って、アップリンク・データ・トラフィック・フローの第２のアクセスポイント名を判定する。第２のアクセスポイント名に対応する第２のＧＧＳＮと第１のＧＧＳＮが同じデバイスでないならば、トラステッドゲートウェイは、第２のＧＧＳＮと第２のＰＤＰコンテキスト接続を確立し、ＷｉＦｉ端末がＰＳサービスドメインにアクセスするために、第２のＧＧＳＮによってＷｉＦｉ端末に割り当てられた第３のＩＰアドレスを取得する。
【００４２】
トラステッドゲートウェイは、アップリンク・データ・トラフィック・フローを伝達するデータパケットによって搬送された第２のＩＰアドレスを第３のＩＰアドレスに変換する。トラステッドゲートウェイは、アップリンク・データ・トラフィック・フローの宛先アドレスおよび第３のＩＰアドレスに従って、第２のＰＤＰコンテキスト接続を介して、アップリンク・データ・トラフィック・フローを伝達するデータパケットを対応するＰＳサービスドメインに送信する。
【００４３】
トラステッドゲートウェイが第２のＰＤＰコンテキスト接続を確立した後、かつ、トラステッドゲートウェイが、第２のＰＤＰコンテキスト接続を介してＰＳサービスドメインからＷｉＦｉ端末に向けて送信されたダウンリンク・データ・トラフィック・フローを受信した後、トラステッドゲートウェイはダウンリンク・データ・トラフィック・フローを伝達するデータパケットによって搬送された第３のＩＰアドレスを第２のＩＰアドレスに変換し、トラステッドゲートウェイは、第２のＩＰアドレスに従って、ダウンリンク・データ・トラフィック・フローを伝達するデータパケットをＷｉＦｉ端末に送信する。
【００４４】
さらに、ＷｉＦｉ端末がＰＳサービスドメインにアクセスするとき、ＡＣはＰＳサービスドメインにアクセスするＷｉＦｉ端末の状態を監視し、ＰＳサービスドメインにアクセスするＷｉＦｉ端末のトラフィック、持続時間、等についての情報を定期的に報告するために使用される。ＡＡＡサーバは、ＡＣによって報告されたトラフィック、持続時間、等についての情報に従ってＣＤＲを更新し、課金応答メッセージをＡＣに送信する。
【００４５】
さらに、ＷｉＦｉ端末がオフライン要求メッセージを開始したとき、または、ＷｉＦｉ端末が弱い信号の状態でＡＣとの通信を切断した後、ＡＣが課金終了メッセージをＡＡＡサーバに送信した後、ＡＡＡサーバは、ＣＤＲファイルを閉じ、課金終了メッセージをトラステッドゲートウェイに送信することによって課金終了メッセージに応答する。課金終了メッセージを受信した後、トラステッドゲートウェイは、トラステッドゲートウェイと第２のＧＧＳＮの間の第１のＰＤＰコンテキスト接続を削除する。
【００４６】
さらに、トラステッドゲートウェイが第２のＰＤＰコンテキスト接続を確立したならば、一旦トラステッドゲートウェイが課金終了メッセージを受信すると、トラステッドゲートウェイは第２のＰＤＰコンテキスト接続を削除する。
【００４７】
運営者のＰＳサービスドメインにアクセスするＷｉＦｉ端末のセキュリティを保証するために、トラステッドゲートウェイはＡＣとＧＲＥ（Generic Routing Encapsulation）トンネルまたはベアラ・ネットワーク・トンネルを確立することができる。
【００４８】
本発明の実施例によって提供される、ＷｉＦｉ端末がＰＳサービスドメインにアクセスするための方法において、ＡＣがＡＡＡサーバにＷｉＦｉ端末を認証するように要求した後、ＡＣは課金要求メッセージをＡＡＡサーバに送信する。ＡＡＡサーバは課金要求メッセージをトラステッドゲートウェイに送信し、それによって、第１のＧＧＳＮと第１のＰＤＰコンテキスト接続を確立し、または、第１のＰ−ＧＷと第１のＰＤＮ接続を確立するようにトラステッドゲートウェイをトリガし、トラステッドゲートウェイをＰＳサービスドメインのアクセスポイントにし、ＷｉＦｉ端末が無線ローカルエリアネットワーク、トラステッドゲートウェイ、および、確立されたＰＤＰコンテキスト接続またはＰＤＮ接続を介してＰＳサービスドメインにアクセスすることを可能にする。この方法において、端末とトラステッドゲートウェイの間に特定のトンネルを確立する必要はなく、ＷｉＦｉ端末は２回認証される必要はなく、これは、ＷｉＦｉ端末の負荷を軽減し、ＷｉＦｉ端末の動作の複雑さおよびコストを減少させる。
【実施例３】
【００４９】
本発明の実施例は、ＷｉＦｉ端末がＰＳサービスドメインにアクセスするための方法を提供する。以下の詳細な説明は、第２世代または第３世代通信ネットワークを一例とする。図３に表わされているように、トラステッドゲートウェイは、ＷｉＦｉ端末によって送信された動的ホスト構成プロトコルＤＨＣＰ要求メッセージを受信し、ＤＨＣＰ要求メッセージは、第１のＧＧＳＮと第１のＰＤＰコンテキスト接続を確立するようにトラステッドゲートウェイをトリガする。この方法は、具体的には次の処理を含む。
【００５０】
Ｓ３０１、トラステッドゲートウェイはＷｉＦｉ端末によって送信されたＤＨＣＰ要求メッセージを受信する。
【００５１】
ＷｉＦｉ端末がＡＣを介してＤＨＣＰ要求メッセージをゲートウェイに送信する前に、ＷｉＦｉ端末は、まずＷＬＡＮに結合し、ＡＣを通してＡＡＡサーバによって認証されるように要求する必要がある。ＷｉＦｉ端末の認証が完了した後、ＷｉＦｉ端末は、ＡＣを介してＤＨＣＰ要求メッセージをトラステッドゲートウェイに送信し、ＷｉＦｉ端末を識別するために、例えばＷｉＦｉ端末のＭＡＣ（Media Access Control、媒体アクセス制御）アドレスまたはＮＡＩ（Network Access Identifier、ネットワークアクセス識別子）のようなＷｉＦｉ端末の識別番号をＷｉＦｉ端末によって送信されるＤＨＣＰ要求メッセージ内にカプセル化することができる。
【００５２】
Ｓ３０２、トラステッドゲートウェイはアクセス要求メッセージをＡＡＡサーバに送信する。
【００５３】
トラステッドゲートウェイはＡＣを介してＷｉＦｉ端末によって送信されたＤＨＣＰ要求メッセージを受信し、ここで、ＤＨＣＰ要求メッセージは、対応するＧＧＳＮとＰＤＰコンテキスト接続を確立するようにトラステッドゲートウェイをトリガする。この方法において、トラステッドゲートウェイは、まず、ＡＡＡサーバからＷｉＦｉ端末の属性情報を取得する必要がある。具体的には、トラステッドゲートウェイはアクセス要求メッセージをＡＡＡサーバに送信して、ＷｉＦｉ端末の属性情報を取得する。
【００５４】
Ｓ３０３、トラステッドゲートウェイはＡＡＡサーバによって送信されたアクセス応答メッセージを受信し、ここで、アクセス応答メッセージはＷｉＦｉ端末の属性情報を搬送する。
【００５５】
ＡＡＡサーバは、トラステッドゲートウェイによって送信されたアクセス要求メッセージを受信し、アクセス応答メッセージをトラステッドゲートウェイに送信することによってアクセス要求メッセージに応答し、ここで、アクセス応答メッセージはＷｉＦｉ端末の属性情報を搬送する。
【００５６】
ＷｉＦｉ端末の属性情報は、ＷｉＦｉ端末の第２のＩＰアドレス、ＩＭＳＩ、第１のＡＰＮ、ＷｉＦｉ端末のＱｏＳ情報、ＷｉＦｉ端末を管理するＡＣのＮＡＳ−ＩＤを含む。
【００５７】
ＷｉＦｉ端末の属性情報における第１のＡＰＮまたはＱｏＳ情報は、トラステッドゲートウェイによってＡＡＡサーバから取得することができ、ＡＡＡサーバは運営者と加入の時に合意されたＷｉＦｉ端末の加入情報を記憶する。ＡＰＮおよびＷｉＦｉ端末のＱｏＳ情報がオペレータと加入の時に合意されていないならば、トラステッドゲートウェイは、ＷｉＦｉ端末がＰＳサービスドメインにアクセスするために、ＰＳサービスドメインとの第１のＰＤＰコンテキスト接続の確立において、ＡＰＮおよびＱｏＳの所定のデフォルト値を採用することもできる。
【００５８】
Ｓ３０４、第１のＰＤＰコンテキスト接続が第１のアクセスポイント名に対応する第１のＧＧＳＮと確立され、第１のＧＧＳＮまたは第１のＰ−ＧＷによってＷｉＦｉ端末に割り当てられた第１のＩＰアドレスが取得される。
【００５９】
トラステッドゲートウェイがＡＡＡサーバによって送信されたアクセス応答メッセージを受信した後、トラステッドゲートウェイは、アクセス応答メッセージによって搬送されたＷｉＦｉ端末の第１のＡＰＮに従って、具体的にどのＧＧＳＮと接続を確立するかを判定し、そして、第１のＰＤＰアクティベーション要求メッセージを第１のＡＰＮに対応する第１のＧＧＳＮに送信する。
【００６０】
第１のＰＤＰアクティベーション要求メッセージはＷｉＦｉ端末の属性情報を搬送する。ＷｉＦｉ端末の属性情報は第１のＧＧＳＮとトラステッドゲートウェイの間に第１のＰＤＰコンテキスト接続を確立するために使用される。
【００６１】
第１のＧＧＳＮがトラステッドゲートウェイによって送信された第１のＰＤＰアクティベーション要求メッセージを受信した後、第１のＧＧＳＮは第１のＩＰアドレスをＷｉＦｉ端末に割り当て、ここで、第１のＩＰアドレスはＷｉＦｉ端末がＰＳサービスドメインにアクセスするために使用される。そして、第１のＧＧＳＮは第１のＰＤＰアクティベーション応答メッセージをトラステッドゲートウェイに返信し、ここで、第１のＰＤＰアクティベーション応答メッセージは第１のＧＧＳＮによって割り当てられた第１のＩＰアドレスを搬送する。具体的には、第１のＧＧＳＮは、ネットワーキングに従って、対応する第１のＩＰアドレスをＷｉＦｉ端末に割り当てる。例えば、ＡＣがルーティング機能を有するならば、第１のＧＧＳＮによってＷｉＦｉ端末に割り当てられる第１のＩＰアドレスは、ＷｉＦｉ端末を管理するＡＣと同じネットワークセグメントに属し、ＡＣがルーティング機能を有さないならば、第１のＧＧＳＮは、ＷｉＦｉ端末を管理するＡＣと同じネットワークセグメントに限定せずに、第１のＩＰアドレスをＷｉＦｉ端末に割り当てることができる。
【００６２】
トラステッドゲートウェイは第１のＧＧＳＮによって返信された第１のＰＤＰアクティベーション応答メッセージを受信し、第１のＰＤＰアクティベーション応答メッセージによって搬送された第１のＩＰアドレスに従って、無線ローカルエリアネットワーク内のＷｉＦｉ端末のセッション情報と、ＰＳサービスドメイン内のＷｉＦｉ端末のセッション情報との間の対応関係を確立する。すなわち、無線ローカルエリアネットワークのセッション情報は、ＷｉＦｉ端末を管理するＡＣのＮＡＳ−ＩＤ、等を含み、ＰＳサービスドメイン内のＷｉＦｉ端末のセッション情報は、第１のＩＰアドレス、および、第１のＰＤＰコンテキスト接続を確立するトラステッドゲートウェイと、第１のＧＧＳＮとの間のバインディングＧＴＰトンネル情報を含む。無線ローカルエリアネットワーク内のＷｉＦｉ端末のセッション情報と、トラステッドゲートウェイによって確立されたＰＳサービスドメイン内のＷｉＦｉ端末のセッション情報との間の対応関係は、この対応関係に従って、それぞれ、ＷｉＦｉ端末によって開始されたアップリンク・データ・トラフィック・フローを対応するＰＳサービスドメインにルーティングし、または、ＰＳサービスドメインによってＷｉＦｉ端末に向けて送信されたダウンリンク・データ・トラフィック・フローをＷｉＦｉ端末にルーティングするために使用される。
【００６３】
Ｓ３０５、トラステッドゲートウェイが第１のＰＤＰコンテキスト接続を確立した後、トラステッドゲートウェイはＤＨＣＰ応答メッセージをＷｉＦｉ端末に送信し、ここで、ＤＨＣＰ応答メッセージは第１のＩＰアドレスを搬送する。
【００６４】
さらに、トラステッドゲートウェイがＤＨＣＰ応答メッセージをＷｉＦｉ端末に送信した後、トラステッドゲートウェイは、課金要求メッセージをＡＡＡサーバに送信して、ＡＡＡサーバにＷｉＦｉ端末を課金するように指示する。課金要求メッセージに応答して、ＡＡＡサーバはＣＤＲを開く。
【００６５】
さらに、トラステッドゲートウェイが第１のＰＤＰコンテキスト接続を確立した後、ＷｉＦｉ端末は無線ローカルエリアネットワークを介してＰＳサービスドメインにアクセスすることが可能になる。トラステッドゲートウェイがＷｉＦｉ端末によって開始されたＰＳサービスドメインにアクセスするアップリンク・データ・トラフィック・フローを受信したとき、この方法は、さらに、
トラステッドゲートウェイが、アップリンク・データ・トラフィック・フローの宛先アドレスおよび第１のＩＰアドレスに従って、第１のＰＤＰコンテキスト接続を介して、アップリンク・データ・トラフィック・フローを伝達するデータパケットを対応するＰＳサービスドメインに送信することを含む。
【００６６】
例えば、ＷｉＦｉ端末がインターネットサービスにアクセスするとき、ＷｉＦｉ端末によって送信されたインターネットサービスにアクセスするアップリンク・データ・トラフィック・フローを伝達するデータパケットを受信した後、ＡＣはデータパケットをトラステッドゲートウェイに転送し、ここで、データパケットは、アップリンク・データ・トラフィック・フローの宛先アドレス、第１のＩＰアドレス、ＷｉＦｉ端末を管理するＡＣのＮＡＳ−ＩＤ、等についての情報を搬送する。トラステッドゲートウェイがアップリンク・データ・トラフィック・フローを伝達するデータパケットを受信した後、トラステッドゲートウェイは、無線ローカルエリアネットワーク内のＷｉＦｉ端末のセッション情報と、トラステッドゲートウェイにおいて確立されたＰＳサービスドメイン内のＷｉＦｉ端末のセッション情報との間の対応関係に従って、データパケットを第１のＧＧＳＮにルーティングし、それによってＷｉＦｉ端末は対応するＰＳサービスドメインにアクセスする。
【００６７】
これと対応して、トラステッドゲートウェイがＰＳサービスドメインによってＷｉＦｉ端末に送信されたダウンリンク・データ・トラフィック・フローを受信したとき、この方法は、さらに、トラステッドゲートウェイが、第１のＩＰアドレスに従って、ダウンリンク・データ・トラフィック・フローを伝達するデータパケットをＷｉＦｉ端末に送信することを含む。
【００６８】
具体的には、無線ローカルエリアネットワーク内のＷｉＦｉ端末のセッション情報と、トラステッドゲートウェイにおいて確立されたＰＳサービスドメイン内のＷｉＦｉ端末のセッション情報との間の対応関係に従って、ＡＣがルーティング機能を有するならば、トラステッドゲートウェイは、第１のＩＰアドレスに従って、ダウンリンク・データ・トラフィック・フローを伝達するデータパケットをＷｉＦｉ端末に送信し、ここで、第１のＩＰアドレスおよびＷｉＦｉ端末を管理するＡＣのＩＰアドレスは同じネットワークセグメントに属する。ＡＣがルーティング機能を有さないならば、トラステッドゲートウェイは、第１のＩＰアドレスおよびＷｉＦｉ端末の属性情報におけるＮＡＳ−ＩＤに従って、ダウンリンク・データ・トラフィック・フローを伝達するデータパケットをＷｉＦｉ端末に送信する。
【００６９】
さらに、トラステッドゲートウェイが第１のＰＤＰコンテキスト接続を確立した後、かつ、トラステッドゲートウェイがＷｉＦｉ端末によって開始されたＰＳサービスドメインにアクセスするアップリンク・データ・トラフィック・フローを受信したとき、トラステッドゲートウェイは、アップリンク・データ・トラフィック・フローの宛先アドレスに従って、アップリンク・データ・トラフィック・フローの第２のアクセスポイント名を判定する。第２のアクセスポイント名に対応する第２のＧＧＳＮと第１のＧＧＳＮが同じデバイスでないならば、トラステッドゲートウェイは、第２のＧＧＳＮと第２のＰＤＰコンテキスト接続を確立し、ＰＳサービスドメインにアクセスするために、第２のＧＧＳＮによってＷｉＦｉ端末に割り当てられた第３のＩＰアドレスを取得する。トラステッドゲートウェイは、アップリンク・データ・トラフィック・フローの宛先アドレスおよび第３のＩＰアドレスに従って、第２のＰＤＰコンテキスト接続を介して、アップリンク・データ・トラフィック・フローを伝達するデータパケットを対応するＰＳサービスドメインに送信する。
【００７０】
トラステッドゲートウェイが第２のＰＤＰコンテキスト接続を確立した後、かつ、トラステッドゲートウェイが、第２のＰＤＰコンテキスト接続を介してＰＳサービスドメインからＷｉＦｉ端末に向けて送信されたダウンリンク・データ・トラフィック・フローを受信したとき、トラステッドゲートウェイは、第２のＩＰアドレスに従って、ダウンリンク・データ・トラフィック・フローを伝達するデータパケットをＷｉＦｉ端末に送信する。
【００７１】
さらに、ＷｉＦｉ端末がＰＳサービスドメインにアクセスするとき、ＡＣはＰＳサービスドメインにアクセスするＷｉＦｉ端末の状態を監視し、ＰＳサービスドメインにアクセスするＷｉＦｉ端末のトラフィック、持続時間、等についての情報を定期的に報告する。ＡＡＡサーバは、ＡＣによって報告されたトラフィック、持続時間、等についての情報に従ってＣＤＲを更新し、課金応答メッセージをＡＣに送信する。
【００７２】
さらに、ＷｉＦｉ端末がオフライン要求メッセージを開始したとき、または、ＷｉＦｉ端末が弱い信号の状態でＡＣとの通信を切断した後、ＡＣが課金終了メッセージをＡＡＡサーバに送信した後、ＡＡＡサーバは、ＣＤＲファイルを閉じ、課金終了メッセージをトラステッドゲートウェイに送信することによって課金終了メッセージに応答する。トラステッドゲートウェイが課金終了メッセージを受信した後、トラステッドゲートウェイは、第１のＰＤＰコンテキスト接続を削除する。
【００７３】
さらに、トラステッドゲートウェイが第２のＰＤＰコンテキスト接続を確立したならば、一旦トラステッドゲートウェイが課金終了メッセージを受信すると、トラステッドゲートウェイは第２のＰＤＰコンテキスト接続を削除する。
【００７４】
ＷｉＦｉ端末のセキュリティを保証するために、トラステッドゲートウェイはＡＣとＧＲＥトンネルまたはベアラ・ネットワーク・トンネルを確立することができる。
【００７５】
本発明の実施例によって提供される、ＷｉＦｉ端末がＰＳサービスドメインにアクセスするための方法において、認証が完了した後、ＷｉＦｉ端末はＤＨＣＰ要求メッセージをトラステッドゲートウェイに送信する。ＤＨＣＰ要求メッセージは、対応する第１のＧＧＳＮと第１のＰＤＰコンテキスト接続を確立し、または、対応する第１のＰ−ＧＷと第１のＰＤＮ接続を確立するようにトラステッドゲートウェイをトリガし、トラステッドゲートウェイをＰＳサービスドメインのアクセスポイントにし、ＷｉＦｉ端末が無線ローカルエリアネットワーク、トラステッドゲートウェイ、および、確立されたＰＤＰコンテキスト接続またはＰＤＮ接続を介してＰＳサービスドメインにアクセスすることを可能にする。この方法において、端末とトラステッドゲートウェイの間に特定のトンネルを確立する必要はなく、ＷｉＦｉ端末は２回認証される必要はなく、これは、ＷｉＦｉ端末の負荷を軽減し、ＷｉＦｉ端末の動作の複雑さおよびコストを減少させる。
【実施例４】
【００７６】
本発明の実施例は、ＷｉＦｉ端末がＰＳサービスドメインにアクセスするための方法を提供する。以下の詳細な説明は、第２世代または第３世代通信ネットワークを一例とする。図４に表わされているように、トラステッドゲートウェイは、ＷｉＦｉ端末によって送信された動的ホスト構成プロトコルＤＨＣＰ要求メッセージを受信し、これは、第１のＧＧＳＮと第１のＰＤＰコンテキスト接続を確立するようにトラステッドゲートウェイをトリガするために使用される。この方法は、具体的には次の処理を含む。
【００７７】
Ｓ４０１、トラステッドゲートウェイは、認証要求メッセージをＡＡＡサーバに送信し、ＡＡＡサーバにＷｉＦｉ端末を認証するように要求する。
【００７８】
この方法において、トラステッドゲートウェイは、さらに、ＡＡＡサーバにＷｉＦｉ端末を認証するように要求するために使用される。ＷｉＦｉ端末は、まずＷＬＡＮに結合し、無線ローカルエリアネットワークのＡＣを通してトラステッドゲートウェイに認証を実行するように要求する。トラステッドゲートウェイは、認証要求メッセージをＡＡＡサーバに送信して、ＡＡＡサーバにＷｉＦｉ端末を認証するように要求する。
【００７９】
Ｓ４０２、ＷｉＦｉ端末が認証された後、トラステッドゲートウェイはアクセス要求メッセージをＡＡＡサーバに送信する。
【００８０】
Ｓ４０３、トラステッドゲートウェイはＡＡＡサーバによって送信されたアクセス応答メッセージを受信し、ここで、アクセス応答メッセージはＷｉＦｉ端末の属性情報を搬送する。
【００８１】
ＡＡＡサーバは、トラステッドゲートウェイによって送信されたアクセス要求メッセージを受信し、アクセス応答メッセージをトラステッドゲートウェイに送信することによってアクセス要求メッセージに応答し、ここで、アクセス応答メッセージはＷｉＦｉ端末の属性情報を搬送する。
【００８２】
ＷｉＦｉ端末の属性情報は、ＷｉＦｉ端末の第２のＩＰアドレス、ＩＭＳＩ、第１のＡＰＮ、ＷｉＦｉ端末のＱｏＳ情報、ＷｉＦｉ端末を管理するＡＣのＮＡＳ−ＩＤを含む。
【００８３】
ＷｉＦｉ端末の属性情報における第１のＡＰＮまたはＱｏＳ情報は、トラステッドゲートウェイによってＡＡＡサーバから取得することができ、ＡＡＡサーバは運営者と加入の時に合意されたＷｉＦｉ端末の加入情報を記憶する。ＡＰＮおよびＷｉＦｉ端末のＱｏＳ情報が加入の時に合意されていないならば、トラステッドゲートウェイは、ＷｉＦｉ端末がＰＳサービスドメインにアクセスするために、ＰＳサービスドメインとの第１のＰＤＰコンテキスト接続の確立において、ＡＰＮおよびＱｏＳの所定のデフォルト値を採用することもできる。
【００８４】
Ｓ４０４、トラステッドゲートウェイはＷｉＦｉ端末によって送信された動的ホスト構成プロトコルＤＨＣＰ要求メッセージを受信する。
【００８５】
ＷｉＦｉ端末の属性情報を取得した後、トラステッドゲートウェイはＷｉＦｉ端末によって送信されたＤＨＣＰ要求メッセージを受信し、ここで、ＷｉＦｉ端末を識別するために使用される、端末のＭＡＣアドレスまたはＮＡＩのようなＷｉＦｉ端末の識別番号がＤＨＣＰ要求メッセージにカプセル化される。
【００８６】
Ｓ４０５、第１のＰＤＰコンテキスト接続が第１のアクセスポイント名に対応する第１のＧＧＳＮと確立され、第１のＧＧＳＮまたは第１のＰ−ＧＷによってＷｉＦｉ端末に割り当てられた第１のＩＰアドレスが取得される。
【００８７】
トラステッドゲートウェイはＷｉＦｉ端末によって送信されたＤＨＣＰ要求メッセージを受信し、ここで、ＤＨＣＰ要求メッセージは、第１のＧＧＳＮと第１のＰＤＰコンテキスト接続を確立するようにトラステッドゲートウェイをトリガする。この方法において、トラステッドゲートウェイは、第１のＡＰＮに従って、具体的にどのＧＧＳＮと接続を確立するかを判定し、そして、第１のＰＤＰアクティベーション要求メッセージを第１のＡＰＮに対応する第１のＧＧＳＮに送信する。
【００８８】
第１のＰＤＰアクティベーション要求メッセージはＷｉＦｉ端末の属性情報を搬送する。ＷｉＦｉ端末の属性情報は第１のＧＧＳＮとトラステッドゲートウェイの間に第１のＰＤＰコンテキスト接続を確立するために使用される。
【００８９】
第１のＧＧＳＮがトラステッドゲートウェイによって送信された第１のＰＤＰアクティベーション要求メッセージを受信した後、第１のＧＧＳＮは第１のＩＰアドレスをＷｉＦｉ端末に割り当て、ここで、第１のＩＰアドレスはＷｉＦｉ端末がＰＳサービスドメインにアクセスするために使用される。そして、第１のＧＧＳＮは第１のＰＤＰアクティベーション応答メッセージをトラステッドゲートウェイに返信し、ここで、第１のＰＤＰアクティベーション応答メッセージは第１のＧＧＳＮによって割り当てられた第１のＩＰアドレスを搬送する。具体的には、第１のＧＧＳＮは、ネットワーキングに従って、対応する第１のＩＰアドレスをＷｉＦｉ端末に割り当てる。例えば、ＡＣがルーティング機能を有するならば、第１のＧＧＳＮによってＷｉＦｉ端末に割り当てられる第１のＩＰアドレスは、ＷｉＦｉ端末を管理するＡＣと同じネットワークセグメントに属し、ＡＣがルーティング機能を有さないならば、第１のＧＧＳＮは、ＷｉＦｉ端末を管理するＡＣと同じネットワークセグメントに限定されずに、第１のＩＰアドレスをＷｉＦｉ端末に割り当てることができる。
【００９０】
トラステッドゲートウェイは第１のＧＧＳＮによって返信された第１のＰＤＰアクティベーション応答メッセージを受信し、第１のＰＤＰアクティベーション応答メッセージによって搬送された第１のＩＰアドレスに従って、無線ローカルエリアネットワーク内のＷｉＦｉ端末のセッション情報と、ＰＳサービスドメイン内のＷｉＦｉ端末のセッション情報との間の対応関係を確立する。すなわち、無線ローカルエリアネットワークのセッション情報は、ＷｉＦｉ端末を管理するＡＣのＮＡＳ−ＩＤ、等を含む。ＰＳサービスドメイン内のＷｉＦｉ端末のセッション情報は、第１のＩＰアドレス、および、第１のＰＤＰコンテキスト接続を確立するトラステッドゲートウェイと、第１のＧＧＳＮとの間のバインディングＧＴＰトンネル情報を含む。無線ローカルエリアネットワーク内のＷｉＦｉ端末のセッション情報と、トラステッドゲートウェイによって確立されたＰＳサービスドメイン内のＷｉＦｉ端末のセッション情報との間の対応関係は、この対応関係に従って、それぞれ、ＷｉＦｉ端末によって開始されたアップリンク・データ・トラフィック・フローを対応するＰＳサービスドメインにルーティングし、または、ＰＳサービスドメインによってＷｉＦｉ端末に向けて送信されたダウンリンク・データ・トラフィック・フローをＷｉＦｉ端末にルーティングするために使用される。
【００９１】
Ｓ４０６、トラステッドゲートウェイがＰＳサービスドメインと第１のＰＤＰコンテキスト接続を確立した後、トラステッドゲートウェイはＤＨＣＰ応答メッセージをＷｉＦｉ端末に送信し、ここで、ＤＨＣＰ応答メッセージは第１のＩＰアドレスを搬送する。
【００９２】
さらに、トラステッドゲートウェイがＤＨＣＰ応答メッセージをＷｉＦｉ端末に送信した後、トラステッドゲートウェイは、課金要求メッセージをＡＡＡサーバに送信して、ＡＡＡサーバにＷｉＦｉ端末を課金するように指示する。課金要求メッセージに応答して、ＡＡＡサーバはＣＤＲを開く。
【００９３】
具体的には、ＷｉＦｉ端末がＰＳサービスドメインにアクセスするとき、トラステッドゲートウェイはＰＳサービスドメインにアクセスするＷｉＦｉ端末の状態を監視し、ＰＳサービスドメインにアクセスするＷｉＦｉ端末のトラフィック、持続時間、等についての情報をＡＡＡサーバに定期的に報告する。ＡＡＡサーバは、トラステッドゲートウェイによって報告されたトラフィック、持続時間、等についての情報に従ってＷｉＦｉ端末に課金し、ＣＤＲを更新し、課金応答メッセージをトラステッドゲートウェイに送信する。
【００９４】
さらに、トラステッドゲートウェイが第１のＰＤＰコンテキスト接続を確立した後、ＷｉＦｉ端末は無線ローカルエリアネットワークを介してＰＳサービスドメインにアクセスすることが可能になる。トラステッドゲートウェイがＷｉＦｉ端末によって開始されたＰＳサービスドメインにアクセスするアップリンク・データ・トラフィック・フローを受信したとき、この方法は、さらに、
トラステッドゲートウェイが、アップリンク・データ・トラフィック・フローの宛先アドレスおよび第１のＩＰアドレスに従って、第１のＰＤＰコンテキスト接続を介して、アップリンク・データ・トラフィック・フローを伝達するデータパケットを対応するＰＳサービスドメインに送信することを含む。
【００９５】
例えば、ＷｉＦｉ端末がインターネットサービスにアクセスするとき、ＡＣがＷｉＦｉ端末によって送信されたインターネットサービスにアクセスするアップリンク・データ・トラフィック・フローを伝達するデータパケットを受信した後、ＡＣはデータパケットをトラステッドゲートウェイに転送し、ここで、データパケットは、アップリンク・データ・トラフィック・フローの宛先アドレス、第１のＩＰアドレス、ＷｉＦｉ端末を管理するＡＣのＮＡＳ−ＩＤ、等についての情報を搬送する。アップリンク・データ・トラフィック・フローを伝達するデータパケットを受信した後、トラステッドゲートウェイは、無線ローカルエリアネットワーク内のＷｉＦｉ端末のセッション情報と、トラステッドゲートウェイにおいて確立されたＰＳサービスドメイン内のＷｉＦｉ端末のセッション情報との間の対応関係に従って、データパケットを第１のＧＧＳＮにルーティングし、それによってＷｉＦｉ端末は対応するＰＳサービスドメインにアクセスする。
【００９６】
これと対応して、トラステッドゲートウェイがＰＳサービスドメインによってＷｉＦｉ端末に送信されたダウンリンク・データ・トラフィック・フローを受信したとき、この方法は、さらに、トラステッドゲートウェイが、第１のＩＰアドレスに従って、ダウンリンク・データ・トラフィック・フローを伝達するデータパケットをＷｉＦｉ端末に送信することを含む。
【００９７】
具体的には、無線ローカルエリアネットワーク内のＷｉＦｉ端末のセッション情報と、トラステッドゲートウェイにおいて確立されたＰＳサービスドメイン内のＷｉＦｉ端末のセッション情報との間の対応関係に従って、ＡＣがルーティング機能を有するならば、トラステッドゲートウェイは、第１のＩＰアドレスに従って、ダウンリンク・データ・トラフィック・フローを伝達するデータパケットをＷｉＦｉ端末に送信し、ここで、第１のＩＰアドレスおよびＷｉＦｉ端末を管理するＡＣのＩＰアドレスは同じネットワークセグメントに属する。ＡＣがルーティング機能を有さないならば、トラステッドゲートウェイは、第１のＩＰアドレスおよびＷｉＦｉ端末の属性情報におけるＮＡＳ−ＩＤに従って、ダウンリンク・データ・トラフィック・フローを伝達するデータパケットをＷｉＦｉ端末に送信する。
【００９８】
さらに、トラステッドゲートウェイが第１のＰＤＰコンテキスト接続を確立した後、かつ、トラステッドゲートウェイがＷｉＦｉ端末によって開始されたＰＳサービスドメインにアクセスするアップリンク・データ・トラフィック・フローを受信したとき、トラステッドゲートウェイは、アップリンク・データ・トラフィック・フローの宛先アドレスに従って、アップリンク・データ・トラフィック・フローの第２のアクセスポイント名を判定する。第２のアクセスポイント名に対応する第２のＧＧＳＮと第１のＧＧＳＮが同じデバイスでないならば、トラステッドゲートウェイは、第２のＧＧＳＮと第２のＰＤＰコンテキスト接続を確立し、ＷｉＦｉ端末がＰＳサービスドメインにアクセスするために、第２のＧＧＳＮによってＷｉＦｉ端末に割り当てられた第３のＩＰアドレスを取得する。トラステッドゲートウェイは、アップリンク・データ・トラフィック・フローの宛先アドレスおよび第３のＩＰアドレスに従って、第２のＰＤＰコンテキスト接続を介して、アップリンク・データ・トラフィック・フローを伝達するデータパケットを対応するＰＳサービスドメインに送信する。
【００９９】
トラステッドゲートウェイが第２のＰＤＰコンテキスト接続を確立した後、かつ、トラステッドゲートウェイが、第２のＰＤＰコンテキスト接続を介してＰＳサービスドメインからＷｉＦｉ端末に送信されたダウンリンク・データ・トラフィック・フローを受信したとき、トラステッドゲートウェイは、第２のＩＰアドレスに従って、ダウンリンク・データ・トラフィック・フローを伝達するデータパケットをＷｉＦｉ端末に送信する。
【０１００】
さらに、ＷｉＦｉ端末がオフライン要求メッセージを開始したとき、または、ＷｉＦｉ端末が弱い信号の状態でトラステッドゲートウェイとの通信を切断した後、トラステッドゲートウェイが課金終了メッセージをＡＡＡサーバに送信した後、ＡＡＡサーバは、ＣＤＲファイルを閉じ、課金終了メッセージに応答する。一方、トラステッドゲートウェイは第１のＰＤＰコンテキスト接続を削除する。
【０１０１】
さらに、トラステッドゲートウェイが第２のＰＤＰコンテキスト接続を確立したならば、一旦トラステッドゲートウェイが課金終了メッセージを受信すると、トラステッドゲートウェイは第２のＰＤＰコンテキスト接続を削除する。
【０１０２】
ＰＳサービスドメインにアクセスするＷｉＦｉ端末のセキュリティを保証するために、ＡＰとトラステッドゲートウェイの間にトンネルを設定することができ、ここで、ＡＰとＡＣの間の情報はＣＡＰＷＡＰ（Control and Provisioning of Wireless Access Points Protocol Specification）トンネルを介して送信され、ＡＰとトラステッドゲートウェイの間の送信はＧＲＥトンネルまたはベアラ・ネットワーク・トンネルを介して実行される。
【０１０３】
本発明の実施例によって提供される、ＷｉＦｉ端末がＰＳサービスドメインにアクセスするための方法において、トラステッドゲートウェイはＡＡＡサーバにＷｉＦｉ端末を認証するように要求する。認証が完了した後、トラステッドゲートウェイはＷｉＦｉ端末の属性情報をＡＡＡサーバから取得する。トラステッドゲートウェイがＷｉＦｉ端末によって送信されたＤＨＣＰ要求メッセージを受信した後、トラステッドゲートウェイは、第１のＧＧＳＮと第１のＰＤＰコンテキスト接続を確立し、または、対応する第１のＰ−ＧＷと第１のＰＤＮ接続を確立し、トラステッドゲートウェイをＰＳサービスドメインのアクセスポイントにし、ＷｉＦｉ端末が無線ローカルエリアネットワーク、トラステッドゲートウェイ、および、確立されたＰＤＰコンテキスト接続またはＰＤＮ接続を介してＰＳサービスドメインにアクセスすることを可能にする。この方法において、端末とトラステッドゲートウェイの間に特定のトンネルを確立する必要はなく、ＷｉＦｉ端末は２回認証される必要はなく、これは、ＷｉＦｉ端末の負荷を軽減し、ＷｉＦｉ端末の動作の複雑さおよびコストを減少させる。
【実施例５】
【０１０４】
本発明の実施例は、ＷｉＦｉ端末がＰＳサービスドメインにアクセスするための方法を提供する。以下の詳細な説明は、第２世代または第３世代通信ネットワークを一例とする。図５に表わされているように、トラステッドゲートウェイは、ＷｉＦｉ端末によって送信された動的ホスト構成プロトコルＤＨＣＰ要求メッセージを受信し、これは、第１のＧＧＳＮと第１のＰＤＰコンテキスト接続を確立するようにトラステッドゲートウェイをトリガするために使用される。この方法は、具体的には次の処理を含む。
【０１０５】
Ｓ５０１、トラステッドゲートウェイは、アクセスコントローラＡＣがＡＡＡサーバにＷｉＦｉ端末を認証するように要求するために使用される認証要求メッセージをＡＡＡサーバに送信する。
【０１０６】
本実施例において、トラステッドゲートウェイはＡＣとＡＡＡサーバの中継装置として機能する。ＷｉＦｉ端末は、まずＷＬＡＮに結合し、無線ローカルエリアネットワークの無線アクセスポイントＡＰにアクセスする。ＡＣは認証要求メッセージをＡＡＡサーバに送信する。中継装置として、トラステッドゲートウェイはＡＣによって送信された認証要求メッセージをＡＡＡサーバに転送する。
【０１０７】
Ｓ５０２、トラステッドゲートウェイは、ＷｉＦｉ端末を認証するＡＡＡサーバから生じた認証応答メッセージをＡＣに転送し、ここで、認証応答メッセージはＷｉＦｉ端末の属性情報を搬送する。
【０１０８】
ＡＡＡサーバがＷｉＦｉ端末の認証に成功した後、ＡＡＡサーバは認証応答メッセージをＡＣに送信する。トラステッドゲートウェイがＡＡＡサーバによって送信された認証応答メッセージを受信した後、トラステッドゲートウェイは認証応答メッセージをＡＣに転送する。認証応答メッセージはＷｉＦｉ端末の属性情報を搬送する。
【０１０９】
Ｓ５０３、トラステッドゲートウェイは認証応答メッセージからＷｉＦｉ端末の属性情報を取得する。
【０１１０】
トラステッドゲートウェイがＡＡＡサーバによって送信された認証応答メッセージを受信した後、トラステッドゲートウェイはＡＡＡサーバによって送信された認証応答メッセージを解析し、ＷｉＦｉ端末の属性情報を取得する。
【０１１１】
ＷｉＦｉ端末の属性情報は、ＷｉＦｉ端末の第２のＩＰアドレス、ＩＭＳＩ、第１のＡＰＮ、ＷｉＦｉ端末のＱｏＳ、および、ＮＡＳ−ＩＤを含む。
【０１１２】
ＷｉＦｉ端末の属性情報における第１のＡＰＮまたはＱｏＳ情報は、トラステッドゲートウェイによってＡＡＡサーバから取得することができ、ＡＡＡサーバは運営者と加入の時に合意されたＷｉＦｉ端末の加入情報を記憶する。ＡＰＮおよびＷｉＦｉ端末のＱｏＳ情報が加入の時に合意されていないならば、トラステッドゲートウェイは、ＷｉＦｉ端末がＰＳサービスドメインにアクセスするために、ＰＳサービスドメインとの第１のＰＤＰコンテキスト接続の確立において、ＡＰＮおよびＱｏＳの所定のデフォルト値を採用することもできる。
【０１１３】
Ｓ５０４、トラステッドゲートウェイはＷｉＦｉ端末によって送信された動的ホスト構成プロトコルＤＨＣＰ要求メッセージを受信する。
【０１１４】
ＷｉＦｉ端末の属性情報を取得した後、ＡＣはＷｉＦｉ端末によって送信されたＤＨＣＰ要求メッセージをトラステッドゲートウェイに送信し、ここで、ＷｉＦｉ端末を識別するために使用される、端末のＭＡＣアドレスまたはＮＡＩのようなＷｉＦｉ端末の識別番号がＤＨＣＰ要求メッセージにカプセル化される。
【０１１５】
Ｓ５０５、第１のＰＤＰコンテキスト接続が第１のアクセスポイント名に対応する第１のＧＧＳＮと確立され、第１のＧＧＳＮまたは第１のＰ−ＧＷによってＷｉＦｉ端末に割り当てられた第１のＩＰアドレスが取得される。
【０１１６】
ＷｉＦｉ端末によって送信されたＤＨＣＰ要求メッセージを受信した後、トラステッドゲートウェイは、ＷｉＦｉ端末の属性情報における第１のＡＰＮに従って、具体的にどのＧＧＳＮと接続を確立するかを判定し、そして、第１のＰＤＰアクティベーション要求メッセージを第１のＡＰＮに対応する第１のＧＧＳＮに送信する。
【０１１７】
第１のＰＤＰアクティベーション要求メッセージはＷｉＦｉ端末の属性情報を搬送する。ＷｉＦｉ端末の属性情報は第１のＧＧＳＮとトラステッドゲートウェイの間に第１のＰＤＰコンテキスト接続を確立するために使用される。
【０１１８】
トラステッドゲートウェイによって送信されたアクティベーション要求メッセージを受信した後、第１のＧＧＳＮは第１のＩＰアドレスをＷｉＦｉ端末に割り当て、ここで、第１のＩＰアドレスはＷｉＦｉ端末がＰＳサービスドメインにアクセスするために使用される。そして、第１のＧＧＳＮは第１のＰＤＰアクティベーション応答メッセージをトラステッドゲートウェイに返信し、ここで、第１のＰＤＰアクティベーション応答メッセージは第１のＧＧＳＮによって割り当てられた第１のＩＰアドレスを搬送する。具体的には、第１のＧＧＳＮは、ネットワーキングに従って、対応する第１のＩＰアドレスをＷｉＦｉ端末に割り当てる。例えば、ＡＣがルーティング機能を有するならば、第１のＧＧＳＮによってＷｉＦｉ端末に割り当てられる第１のＩＰアドレスは、ＷｉＦｉ端末を管理するＡＣと同じネットワークセグメントに属し、ＡＣがルーティング機能を有さないならば、第１のＧＧＳＮは、ＷｉＦｉ端末を管理するＡＣと同じネットワークセグメントに限定されずに、第１のＩＰアドレスをＷｉＦｉ端末に割り当てることができる。
【０１１９】
トラステッドゲートウェイは第１のＧＧＳＮによって返信された第１のＰＤＰアクティベーション応答メッセージを受信し、第１のＰＤＰアクティベーション応答メッセージによって搬送された第１のＩＰアドレスに従って、無線ローカルエリアネットワーク内のＷｉＦｉ端末のセッション情報と、ＰＳサービスドメイン内のＷｉＦｉ端末のセッション情報との間の対応関係を確立する。すなわち、無線ローカルエリアネットワークのセッション情報は、ＷｉＦｉ端末を管理するＡＣのＮＡＳ−ＩＤ、等を含み、ＰＳサービスドメイン内のＷｉＦｉ端末のセッション情報は、第１のＩＰアドレス、および、第１のＰＤＰコンテキスト接続を確立するトラステッドゲートウェイと、第１のＧＧＳＮとの間のバインディングＧＴＰトンネル情報を含む。無線ローカルエリアネットワーク内のＷｉＦｉ端末のセッション情報と、トラステッドゲートウェイによって確立されたＰＳサービスドメイン内のＷｉＦｉ端末のセッション情報との間の対応関係は、この対応関係に従って、それぞれ、ＷｉＦｉ端末によって開始されたアップリンク・データ・トラフィック・フローを対応するＰＳサービスドメインにルーティングし、または、ＰＳサービスドメインによってＷｉＦｉ端末に向けて送信されたダウンリンク・データ・トラフィック・フローをＷｉＦｉ端末にルーティングするために使用される。
【０１２０】
さらに、トラステッドゲートウェイと第１のＧＧＳＮの間にＧＴＰトンネルが確立されるならば、ＰＳサービスドメインのＷｉＦｉ端末のセッション情報は、さらに、第１のＰＤＰコンテキスト接続を確立するトラステッドゲートウェイと、第１のＧＧＳＮとの間のバインディングＧＴＰトンネル情報を含む。
【０１２１】
Ｓ５０６、トラステッドゲートウェイがＰＳサービスドメインと第１のＰＤＰコンテキスト接続を確立した後、トラステッドゲートウェイはＤＨＣＰ応答メッセージをＷｉＦｉ端末に送信し、ここで、ＤＨＣＰ応答メッセージは第１のＩＰアドレスを搬送する。
【０１２２】
トラステッドゲートウェイが第１のＰＤＰコンテキスト接続を確立した後、ＷｉＦｉ端末は無線ローカルエリアネットワークを介してＰＳサービスドメインにアクセスすることが可能になる。トラステッドゲートウェイがＷｉＦｉ端末によって開始されたＰＳサービスドメインにアクセスするアップリンク・データ・トラフィック・フローを受信したとき、この方法は、さらに、
トラステッドゲートウェイが、アップリンク・データ・トラフィック・フローの宛先アドレスおよび第１のＩＰアドレスに従って、第１のＰＤＰコンテキスト接続を介して、アップリンク・データ・トラフィック・フローを伝達するデータパケットを対応するＰＳサービスドメインに送信することを含む。
【０１２３】
例えば、ＷｉＦｉ端末がインターネットサービスにアクセスするとき、ＷｉＦｉ端末によって送信されたインターネットサービスにアクセスするアップリンク・データ・トラフィック・フローを伝達するデータパケットを受信した後、ＡＣはデータパケットをトラステッドゲートウェイに転送し、ここで、データパケットは、アップリンク・データ・トラフィック・フローの宛先アドレス、第１のＩＰアドレス、ＷｉＦｉ端末を管理するＡＣのＮＡＳ−ＩＤ、等についての情報を搬送する。トラステッドゲートウェイがアップリンク・データ・トラフィック・フローを伝達するデータパケットを受信した後、トラステッドゲートウェイは、無線ローカルエリアネットワーク内のＷｉＦｉ端末のセッション情報と、トラステッドゲートウェイにおいて確立されたＰＳサービスドメイン内のＷｉＦｉ端末のセッション情報との間の対応関係に従って、データパケットを第１のＧＧＳＮにルーティングし、それによってＷｉＦｉ端末は対応するＰＳサービスドメインにアクセスする。
【０１２４】
これと対応して、トラステッドゲートウェイがＰＳサービスドメインによってＷｉＦｉ端末に送信されたダウンリンク・データ・トラフィック・フローを受信したとき、この方法は、さらに、トラステッドゲートウェイが、第１のＩＰアドレスに従って、ダウンリンク・データ・トラフィック・フローを伝達するデータパケットをＷｉＦｉ端末に送信することを含む。
【０１２５】
具体的には、無線ローカルエリアネットワーク内のＷｉＦｉ端末のセッション情報と、トラステッドゲートウェイにおいて確立されたＰＳサービスドメイン内のＷｉＦｉ端末のセッション情報との間の対応関係に従って、ＡＣがルーティング機能を有するならば、トラステッドゲートウェイは、第１のＩＰアドレスに従って、ダウンリンク・データ・トラフィック・フローを伝達するデータパケットをＷｉＦｉ端末に送信し、ここで、第１のＩＰアドレスおよびＷｉＦｉ端末を管理するＡＣのＩＰアドレスは同じネットワークセグメントに属する。ＡＣがルーティング機能を有さないならば、トラステッドゲートウェイは、第１のＩＰアドレスおよびＷｉＦｉ端末の属性情報におけるＮＡＳ−ＩＤに従って、ダウンリンク・データ・トラフィック・フローを伝達するデータパケットをＷｉＦｉ端末に送信する。
【０１２６】
さらに、トラステッドゲートウェイが第１のＰＤＰコンテキスト接続を確立した後、かつ、トラステッドゲートウェイがＷｉＦｉ端末によって開始されたＰＳサービスドメインにアクセスするアップリンク・データ・トラフィック・フローを受信したとき、トラステッドゲートウェイは、アップリンク・データ・トラフィック・フローの宛先アドレスに従って、アップリンク・データ・トラフィック・フローの第２のアクセスポイント名を判定する。第２のアクセスポイント名に対応する第２のＧＧＳＮと第１のＧＧＳＮが同じデバイスでないならば、トラステッドゲートウェイは、第２のＧＧＳＮと第２のＰＤＰコンテキスト接続を確立し、ＷｉＦｉ端末がＰＳサービスドメインにアクセスするために、第２のＧＧＳＮによってＷｉＦｉ端末に割り当てられた第３のＩＰアドレスを取得する。トラステッドゲートウェイは、アップリンク・データ・トラフィック・フローの宛先アドレスおよび第３のＩＰアドレスに従って、第２のＰＤＰコンテキスト接続を介して、アップリンク・データ・トラフィック・フローを伝達するデータパケットを対応するＰＳサービスドメインに送信する。
【０１２７】
トラステッドゲートウェイが第２のＰＤＰコンテキスト接続を確立した後、かつ、トラステッドゲートウェイが、第２のＰＤＰコンテキスト接続を介してＰＳサービスドメインからＷｉＦｉ端末に送信されたダウンリンク・データ・トラフィック・フローを受信したとき、トラステッドゲートウェイは、第２のＩＰアドレスに従って、ダウンリンク・データ・トラフィック・フローを伝達するデータパケットをＷｉＦｉ端末に送信する。
【０１２８】
さらに、ＷｉＦｉ端末がＰＳサービスドメインにアクセスするとき、ＡＣはＰＳサービスドメインにアクセスするＷｉＦｉ端末の状態を監視し、ＰＳサービスドメインにアクセスするＷｉＦｉ端末のトラフィック、持続時間、等についての情報を定期的に報告する。ＡＡＡサーバは、ＡＣによって報告されたトラフィック、持続時間、等についての情報に従ってＣＤＲを更新し、課金応答メッセージをＡＣに送信する。
【０１２９】
さらに、ＷｉＦｉ端末がオフライン要求メッセージを開始したとき、または、ＷｉＦｉ端末が弱い信号の状態でＡＣとの通信を切断した後、ＡＣが課金終了メッセージをＡＡＡサーバに送信し、ここで、トラステッドゲートウェイはＡＣによって送信された課金終了メッセージをＡＡＡサーバに転送する、一方、トラステッドゲートウェイは課金終了メッセージに従ってトラステッドゲートウェイとＧＧＳＮの間の第１のＰＤＰコンテキスト接続を削除する。トラステッドゲートウェイによって転送された課金終了メッセージを受信した後、ＡＡＡサーバは、課金終了メッセージに応答し、ＣＤＲファイルを閉じる。
【０１３０】
さらに、トラステッドゲートウェイが第２のＰＤＰコンテキスト接続を確立したならば、一旦トラステッドゲートウェイが課金終了メッセージを受信すると、トラステッドゲートウェイは第２のＰＤＰコンテキスト接続を削除する。
【０１３１】
ＰＳサービスドメインにアクセスするＷｉＦｉ端末のセキュリティを保証するために、トラステッドゲートウェイとＡＰの間の情報はＧＲＥトンネルまたはベアラ・ネットワーク・トンネルを介して送信される必要がある。
【０１３２】
本発明の実施例によって提供される、ＷｉＦｉ端末がＰＳサービスドメインにアクセスするための方法において、トラステッドゲートウェイはＡＣとＡＡＡサーバの間の中継装置として機能し、ＡＡＡサーバからＷｉＦｉ端末のＡＣに送信された認証応答メッセージからＷｉＦｉ端末の属性情報を取得する。ＷｉＦｉ端末の属性情報を受信した後、トラステッドゲートウェイは、ＷｉＦｉ端末によって送信されたＤＨＣＰ要求メッセージを受信し、トラステッドゲートウェイとＰＳサービスドメインの間に第１のＰＤＰコンテキスト接続または第１のＰＤＮ接続を確立し、トラステッドゲートウェイをＰＳサービスドメインのアクセスポイントにし、ＷｉＦｉ端末が無線ローカルエリアネットワーク、トラステッドゲートウェイ、および、確立されたＰＤＰコンテキスト接続またはＰＤＮ接続を介してＰＳサービスドメインにアクセスすることを可能にする。この方法において、端末とトラステッドゲートウェイの間に特定のトンネルを確立する必要はなく、ＷｉＦｉ端末は２回認証される必要はなく、これは、ＷｉＦｉ端末の負荷を軽減し、ＷｉＦｉ端末の動作の複雑さおよびコストを減少させる。
【０１３３】
なお、本発明によって提供される実施例２、３、４および５は、第２または第３世代通信ネットワークシステムのもとで、本発明によって提供されるＷｉＦｉ端末がＰＳサービスドメインにアクセスするための方法を記載した。もちろん、本発明の実施例２、３、４および５によって提供される方法はＬＴＥ通信ネットワークシステムにおいても適用することができ、ここで、課金要求メッセージまたはＤＨＣＰ要求メッセージを受信した後、トラステッドゲートウェイは第１のＰ−ＧＷと第１のＰＤＰコンテキスト接続を確立し、ＷｉＦｉ端末がＰＳサービスドメインにアクセスするために、第１のＰＤＮによってＷｉＦｉ端末に割り当てられた第１のＩＰアドレスを取得する。Ｐ−ＧＷとＰＤＮ接続を確立するトラステッドゲートウェイの処理は関連技術に属し、ここで冗長に説明しない。
【０１３４】
さらに、ＷｉＦｉ端末が優先的に無線ローカルエリアネットワークを介して運営者のＰＳサービスドメインにアクセスする必要があるならば、ＷｉＦｉ端末のアプリケーションはデフォルトのアクセスポイント名のタイプをＷｉＦｉ端末に送信する必要があり、または、ＷｉＦｉ端末のアプリケーションはアクセスポイント名をＷｉＦｉ端末に送信せずに、ＷｉＦｉ端末はデフォルトのアクセスポイント名のタイプに従って優先的に無線ローカルエリアネットワークを介してＰＳサービスドメインにアクセスする。
【実施例６】
【０１３５】
本発明の実施例は、図６に表わされているように、受信ユニット６１および接続確立ユニット６２を含む、ＷｉＦｉ端末がＰＳサービスドメインにアクセスするためのトラステッドゲートウェイ６０を提供する。
【０１３６】
受信ユニット６１は、認証、認可および課金ＡＡＡサーバによって送信された課金要求メッセージ、または、ＷｉＦｉ端末によって送信された動的ホスト構成プロトコルＤＨＣＰ要求メッセージを受信するように構成される。
【０１３７】
接続確立ユニット６２は、受信ユニット６１が課金要求メッセージまたはＤＨＣＰ要求メッセージを受信した後、ＷｉＦｉ端末の属性情報に従ってＰＳサービスドメインと第１のパケット・データ・プロトコルＰＤＰコンテキスト接続または第１のパケット・データ・ネットワークＰＤＮ接続を確立するように構成され、無線ローカルエリアネットワークを介してトンネルなしでトラステッドゲートウェイにアクセスした後、トラステッドゲートウェイをＰＳサービスドメインにアクセスするためのアクセスポイントにし、ＷｉＦｉ端末がトラステッドゲートウェイを介してＰＳサービスドメインにアクセスすることを可能にする。
【０１３８】
受信ユニット６１によって受信されたのがＡＡＡサーバによって送信された課金要求メッセージならば、課金要求メッセージは、ＰＳサービスドメインとの第１のＰＤＰコンテキスト接続または第１のＰＤＮ接続を確立するようにトラステッドゲートウェイをトリガするために使用される。図７に表わされているように、トラステッドゲートウェイ７０は、さらに、アドレス変換ユニット７３、送信ユニット７４、および、接続削除ユニット７５を含むことができる。
【０１３９】
ＷｉＦｉ端末が無線ローカルエリアネットワークにアクセスする処理の間、ＷｉＦｉ端末はＡＰを通してＡＣにアクセスし、ＡＣはＡＡＡサーバにＷｉＦｉ端末を認証するように要求し、ここで、具体的な認証形態はＥＡＰ−ＳＩＭ／ＡＫＡ認証またはポータル認証とすることができる。認証が完了した後、ＡＣは、ＢＲＡＳまたは他のＩＰアドレス割り当てサーバに、無線ローカルエリアネットワーク内の第２のＩＰアドレスをＷｉＦｉ端末に割り当てるように要求する。第２のＩＰアドレスをＷｉＦｉ端末に割り当てた後、ＡＣは、課金要求メッセージをＡＡＡサーバに送信して、ＡＡＡサーバにＷｉＦｉ端末を課金することを開始するように要求する。ＡＣによって送信された課金要求メッセージに応答して、ＡＡＡサーバはＣＤＲ（calling detail records、呼詳細記録）を開く。そして、ＡＡＡサーバはＷｉＦｉ端末の属性情報を課金要求メッセージにカプセル化し、ＷｉＦｉ端末の属性情報を搬送する課金要求メッセージをトラステッドゲートウェイの受信ユニット６１に送信する。ＷｉＦｉ端末の属性情報は課金要求メッセージ内で搬送される。
【０１４０】
ＷｉＦｉ端末の属性情報は、ＷｉＦｉ端末の第２のＩＰアドレス、ＩＭＳＩ、第１のＡＰＮ、ＷｉＦｉ端末のＱｏＳ情報、および、ＮＡＳ−ＩＤを含む。
【０１４１】
ＷｉＦｉ端末の属性情報における第１のＡＰＮまたはＱｏＳ情報は、トラステッドゲートウェイによってＡＡＡサーバから取得することができ、ＡＡＡサーバは、運営者と加入の時に合意されたＷｉＦｉ端末の加入情報を記憶する。ＡＰＮおよびＷｉＦｉ端末のＱｏＳ情報が加入の時に合意されていないならば、トラステッドゲートウェイは、ＷｉＦｉ端末がＰＳサービスドメインにアクセスするために、ＰＳサービスドメインとの第１のＰＤＰコンテキスト接続または第１のＰＤＮ接続の確立において、ＡＰＮおよびＱｏＳの所定のデフォルト値を採用することもできる。
【０１４２】
接続確立ユニット６２は、第１のアクセスポイント名に対応する第１のＧＧＳＮとの第１のＰＤＰコンテキスト接続、または、第１のアクセスポイント名に対応するＰ−ＧＷとの第１のＰＤＮ接続を確立し、第１のＧＧＳＮまたは第１のＰ−ＧＷによってＷｉＦｉ端末に割り当てられた第１のＩＰアドレスを取得するように構成される。
【０１４３】
送信ユニット７４は、接続確立ユニット６２が第１のＰＤＰコンテキスト接続または第１のＰＤＮ接続を確立した後、ＡＡＡサーバを通して課金要求応答メッセージをアクセスコントローラＡＣに送信するように構成され、ここで、課金要求応答メッセージは第１のＩＰアドレスを搬送し、これは、ＷｉＦｉ端末が無線ローカルエリアネットワークを介してＰＳサービスドメインにアクセスすることを可能にする。
【０１４４】
具体的には、第２世代または第３世代通信ネットワークにおいて、接続確立ユニット６２は、具体的には、第１のＰＤＰアクティベーション要求メッセージを第１のアクセスポイント名に対応する第１のＧＧＳＮに送信し、第１のＧＧＳＮによって返信された第１のＰＤＰアクティベーション応答メッセージを受信するように構成され、ここで、第１のＰＤＰアクティベーション応答メッセージは、ＷｉＦｉ端末がＰＳサービスドメインにアクセスするために、第１のＧＧＳＮによってＷｉＦｉ端末に割り当てられた第１のＩＰアドレスを搬送する。例えば、トラステッドゲートウェイの受信ユニット６１がＡＡＡサーバによって送信された課金要求メッセージを受信した後、トラステッドゲートウェイは第１のＧＧＳＮと第１のＰＤＰコンテキスト接続を確立するようにトリガされる。まず、トラステッドゲートウェイの接続確立ユニット６２は、第１のＡＰＮ情報に従って、対応する第１のＧＧＳＮをアドレス指定する。例えば、具体的に、第１のＡＰＮがＣＭＮＥＴならば、トラステッドゲートウェイはインターネットにアクセスするＧＧＳＮをアドレス指定する。そして、接続確立ユニット６２は、第１のＰＤＰアクティベーション要求メッセージを第１のＧＧＳＮに送信して、ＷｉＦｉ端末と第１のＧＧＳＮの間に第１のＰＤＰコンテキスト接続を確立する。第１のＰＤＰアクティベーション要求メッセージは、第１のＧＧＳＮとトラステッドゲートウェイの間に第１のＰＤＰコンテキスト接続を確立するために使用される、ＷｉＦｉ端末の属性情報を搬送する。接続確立ユニット６２によって送信された第１のアクティベーション要求メッセージを受信した後、第１のＧＧＳＮは第１のＩＰアドレスをＷｉＦｉ端末に割り当て、ここで、第１のＩＰアドレスはＷｉＦｉ端末がＰＳサービスドメインにアクセスするために使用される。そして、第１のＧＧＳＮは第１のＰＤＰアクティベーション応答メッセージをトラステッドゲートウェイに返信し、ここで、第１のＰＤＰアクティベーション応答メッセージは第１のＧＧＳＮによって割り当てられた第１のＩＰアドレスを搬送する。接続確立ユニット６２が第１のＧＧＳＮによって返信された第１のＰＤＰアクティベーション応答メッセージを受信した後、トラステッドゲートウェイは、第１のＰＤＰアクティベーション応答メッセージによって搬送された第１のＩＰアドレスに従って、無線ローカルエリアネットワーク内のＷｉＦｉ端末のセッション情報と、ＰＳサービスドメイン内のＷｉＦｉ端末のセッション情報との間の対応関係を確立する。無線ローカルエリアネットワークのセッション情報は、ＷｉＦｉ端末の第２のＩＰアドレス、ＷｉＦｉ端末を管理するＡＣのＮＡＳ−ＩＤ、等を含む。ＰＳサービスドメイン内のＷｉＦｉ端末のセッション情報は、第１のＩＰアドレス、および、第１のＰＤＰコンテキスト接続を確立するトラステッドゲートウェイと、第１のＧＧＳＮとの間のバインディングＧＴＰトンネル情報を含む。無線ローカルエリアネットワーク内のＷｉＦｉ端末のセッション情報と、トラステッドゲートウェイによって確立されたＰＳサービスドメイン内のＷｉＦｉ端末のセッション情報との間の対応関係は、この対応関係に従って、それぞれ、ＷｉＦｉ端末によって開始されたアップリンク・データ・トラフィック・フローを対応するＰＳサービスドメインにルーティングし、または、ＰＳサービスドメインによってＷｉＦｉ端末に向けて送信されたダウンリンク・データ・トラフィック・フローをＷｉＦｉ端末にルーティングするために使用される。
【０１４５】
さらに、アドレス変換ユニット７３は、ＷｉＦｉ端末がＰＳサービスドメインにアクセスするとき、ＷｉＦｉ端末によって開始されたアップリンク・データ・トラフィック・フローを伝達するデータパケットによって搬送される第２のＩＰアドレスを第１のＩＰアドレスに変換するように構成され、さらに、ＰＳサービスドメインによってＷｉＦｉ端末に向けて送信されたダウンリンク・データ・トラフィック・フローを伝達するデータパケットによって搬送される第１のＩＰアドレスを第２のＩＰアドレスに変換するように構成され、ここで、第２のＩＰアドレスは、ＡＣがＷｉＦｉ端末を認証した後、アクセスコントローラＡＣによってＷｉＦｉ端末に割り当てられた無線ローカルエリアネットワークのＩＰアドレスである。
【０１４６】
送信ユニット７４は、さらに、アップリンク・データ・トラフィック・フローの宛先アドレスおよび第１のＩＰアドレスに従って、第１のＰＤＰコンテキスト接続または第１のＰＤＮ接続を介して、アップリンク・データ・トラフィック・フローを伝達するデータパケットを対応するＰＳサービスドメインに送信するように構成され、さらに、第２のＩＰアドレスに従って、ダウンリンク・データ・トラフィック・フローを伝達するデータパケットをＷｉＦｉ端末に送信するように構成される。
【０１４７】
例えば、第２世代または第３世代通信ネットワークにおいて、ＷｉＦｉ端末がインターネットサービスにアクセスするとき、ＡＣが、ＷｉＦｉ端末によって開始されたインターネットサービスにアクセスするアップリンク・データ・トラフィック・フローを受信した後、ＡＣはアップリンク・データ・トラフィック・フローをトラステッドゲートウェイに転送する。アドレス変換ユニット７３は、無線ローカルエリアネットワーク内のＷｉＦｉ端末のセッション情報と、トラステッドゲートウェイにおいて確立されたＰＳサービスドメイン内のＷｉＦｉ端末のセッション情報との間の対応関係に従って、アップリンク・データ・トラフィック・フローによって搬送された第２のＩＰアドレスを第１のＩＰアドレスに変換する。そして、送信ユニット７４は、アップリンク・データ・トラフィック・フローの宛先アドレスおよび第１のＩＰアドレスに従って、第１のＰＤＰコンテキスト接続を介して、アップリンク・データ・トラフィック・フローを伝達するデータパケットを対応するＰＳサービスドメインに送信する。
【０１４８】
これと対応して、アドレス変換ユニット７３は、トラステッドゲートウェイがＰＳサービスドメインによってＷｉＦｉ端末に向けて送信されたダウンリンク・データ・トラフィック・フローを受信したとき、無線ローカルエリアネットワーク内のＷｉＦｉ端末のセッション情報と、トラステッドゲートウェイにおいて確立されたＰＳサービスドメイン内のＷｉＦｉ端末のセッション情報との間の対応関係に従って、ダウンリンク・データ・トラフィック・フローを伝達するデータパケットによって搬送された第１のＩＰアドレスを第２のＩＰアドレスに変換する。送信ユニットは、第２のＩＰアドレスおよび／またはユーザアクセスサーバのシリアル番号に従って、ダウンリンク・データ・トラフィック・フローを伝達するデータパケットをＷｉＦｉ端末に送信する。
【０１４９】
さらに、接続確立ユニット６２は、ＷｉＦｉ端末がＰＳサービスドメインにアクセスするとき、アップリンク・データ・トラフィック・フローの宛先アドレスに従って、アップリンク・データ・トラフィック・フローに対応する第２のアクセスポイント名を判定する。第２のアクセスポイント名に対応する第２のＧＧＳＮと第１のＧＧＳＮが同じデバイスでない、または、第２のアクセスポイント名に対応する第２のＰ−ＧＷと第１のＰ−ＧＷが同じデバイスでないならば、第２のＧＧＳＮとの第２のＰＤＰコンテキスト接続または第２のＰ−ＧＷとの第２のＰＤＮ接続が確立され、ＰＳサービスドメインにアクセスするために、第２のＧＧＳＮまたは第２のＰ−ＧＷによってＷｉＦｉ端末に割り当てられた第３のＩＰアドレスが取得される。
【０１５０】
アドレス変換ユニット７３は、さらに、トラステッドゲートウェイが第２のＰＤＰコンテキスト接続または第２のＰＤＮ接続を確立した後、アップリンク・データ・トラフィック・フローを伝達するデータパケットによって搬送された第２のＩＰアドレスを第３のＩＰアドレスに変換するように構成され、さらに、ダウンリンク・データ・トラフィック・フローを伝達するデータパケットによって搬送された第３のＩＰアドレスを第２のＩＰアドレスに変換するように構成される。
【０１５１】
送信ユニット７４は、さらに、第２のＰＤＰコンテキスト接続または第２のＰＤＮ接続を介して、アップリンク・データ・トラフィック・フローの宛先アドレスおよび第３のＩＰアドレスに従って、アップリンク・データ・トラフィック・フローを伝達するデータパケットを対応するＰＳサービスドメインに送信するように構成され、第２のＩＰアドレスに従って、ＰＳサービスドメインによってＷｉＦｉ端末に向けて送信され、第２のＰＤＰコンテキスト接続または第２のＰＤＮ接続を介して受信されたダウンリンク・データ・トラフィック・フローのデータパケットをＷｉＦｉ端末に送信する。
【０１５２】
さらに、受信ユニット６１は、さらに、ＷｉＦｉ端末がオフラインに移行した後、ＡＡＡサーバによって送信された課金終了メッセージを受信するように構成される。接続削除ユニット７５は、受信ユニット６１が課金終了メッセージを受信した後、第１のＰＤＰコンテキスト接続または第１のＰＤＮ接続を削除するように構成される。
【０１５３】
具体的には、ＡＣは、ＷｉＦｉ端末がＰＳサービスドメインにアクセスするとき、ＰＳサービスドメインにアクセスするＷｉＦｉ端末の状態を監視し、ＰＳサービスドメインにアクセスするＷｉＦｉ端末のトラフィック、持続時間、等についての情報を定期的に報告する。ＡＡＡサーバは、ＡＣによって報告されたトラフィック、持続時間、等についての情報に従ってＣＤＲを更新し、課金応答メッセージをＡＣに送信する。ＷｉＦｉ端末がオフライン要求メッセージを開始したとき、または、ＷｉＦｉ端末が弱い信号の状態でＡＣとの通信を切断した後、ＡＣが課金終了メッセージをＡＡＡサーバに送信した後、ＡＡＡサーバは、ＣＤＲファイルを閉じ、課金終了メッセージをトラステッドゲートウェイに送信することによって課金終了メッセージに応答する。受信ユニット６１が課金終了メッセージを受信した後、接続削除ユニット７５は、第１のＰＤＰコンテキスト接続または第１のＰＤＮ接続を削除する。
【０１５４】
さらに、トラステッドゲートウェイが第２のＰＤＰコンテキスト接続または第２のＰＤＮ接続を確立したならば、受信ユニット６１が課金終了メッセージを受信した後、接続削除ユニット７５は、同時に、第２のＰＤＰコンテキスト接続または第２のＰＤＮ接続を削除する。
【０１５５】
受信ユニット６１によって受信されたのがＷｉＦｉ端末によって送信されたＤＨＣＰ要求メッセージならば、図８に表わされているように、トラステッドゲートウェイ８０はさらに送信ユニット８３および接続削除ユニット８４を含むことができる。
【０１５６】
ＡＣを通してＤＨＣＰ要求メッセージをトラステッドゲートウェイに送信する前に、ＷｉＦｉ端末は、まずＷＬＡＮに結合し、ＡＣを通してＡＡＡサーバによって認証されるように要求する必要がある。ＷｉＦｉ端末の認証が完了した後、ＷｉＦｉ端末は、ＡＣを介してＤＨＣＰ要求メッセージをトラステッドゲートウェイに送信することができる。ＡＣはＤＨＣＰ要求メッセージをトラステッドゲートウェイに送信し、ＷｉＦｉ端末を識別するために使用されるＷｉＦｉ端末のＭＡＣ（Media Access Control）アドレスまたはＮＡＩ（Network Access Identifier）のようなＷｉＦｉ端末の識別番号をＷｉＦｉ端末によって送信されるＤＨＣＰ要求メッセージ内にカプセル化する。
【０１５７】
送信ユニット８３は、受信ユニット６１がＤＨＣＰ要求メッセージを受信した後、アクセス要求メッセージをＡＡＡサーバに送信するように構成される。
【０１５８】
トラステッドゲートウェイの受信ユニット６１は、ＡＣを通してＷｉＦｉ端末によって送信されたＤＨＣＰ要求メッセージを受信し、ここで、ＤＨＣＰ要求メッセージは、ＰＳサービスドメインと第１のＰＤＰコンテキスト接続または第１のＰＤＮ接続を確立するようにトラステッドゲートウェイをトリガする。この方法において、トラステッドゲートウェイは、まず、ＡＡＡサーバからＷｉＦｉ端末の属性情報を取得する必要がある。具体的には、送信ユニット８３はアクセス要求メッセージをＡＡＡサーバに送信して、ＷｉＦｉ端末の属性情報を取得する。
【０１５９】
受信ユニット６１は、さらに、ＡＡＡサーバによって送信されたアクセス応答メッセージを受信するように構成され、ここで、アクセス応答メッセージはＷｉＦｉ端末の属性情報を搬送する。
【０１６０】
ＡＡＡサーバは、トラステッドゲートウェイによって送信されたアクセス要求メッセージを受信し、アクセス応答メッセージをトラステッドゲートウェイに送信することによってアクセス要求メッセージに応答し、ここで、アクセス応答メッセージはＷｉＦｉ端末の属性情報を搬送する。
【０１６１】
ＷｉＦｉ端末の属性情報は、ＷｉＦｉ端末の第２のＩＰアドレス、ＩＭＳＩ、第１のＡＰＮ、ＷｉＦｉ端末のＱｏＳ情報、および、ＷｉＦｉ端末を管理するＡＣのＮＡＳ−ＩＤを含む。
【０１６２】
ＷｉＦｉ端末の属性情報における第１のＡＰＮまたはＱｏＳ情報は、トラステッドゲートウェイによってＡＡＡサーバから取得することができ、ＡＡＡサーバは運営者と加入の時に合意されたＷｉＦｉ端末の加入情報を記憶する。ＡＰＮおよびＷｉＦｉ端末のＱｏＳ情報が加入の時に合意されていないならば、トラステッドゲートウェイは、ＷｉＦｉ端末がＰＳサービスドメインにアクセスするために、ＰＳサービスドメインとの第１のＰＤＰコンテキスト接続または第１のＰＤＮ接続の確立において、ＡＰＮおよびＱｏＳの所定のデフォルト値を採用することもできる。
【０１６３】
接続確立ユニット６２は、第１のアクセスポイント名に対応する第１のＧＧＳＮと第１のＰＤＰコンテキスト接続、または、第１のアクセスポイント名に対応するＰ−ＧＷと第１のＰＤＮ接続を確立し、第１のＧＧＳＮまたは第１のＰ−ＧＷによってＷｉＦｉ端末に割り当てられた第１のＩＰアドレスを取得するように構成される。
【０１６４】
送信ユニット８３は、接続確立ユニット６２が第１のＰＤＰコンテキスト接続または第１のＰＤＮ接続を確立した後、ＤＨＣＰ応答メッセージをＷｉＦｉ端末に送信するように構成され、ここで、ＤＨＣＰ応答メッセージは第１のＩＰアドレスを搬送する。
【０１６５】
具体的には、第２世代または第３世代通信ネットワークにおいて、受信ユニット６１がＡＡＡサーバによって送信されたアクセス応答メッセージを受信した後、接続確立ユニット６２は、さらに、第１のＰＤＰアクティベーション要求メッセージを第１のアクセスポイント名に対応する第１のＧＧＳＮに送信し、第１のＧＧＳＮによって返信された第１のＰＤＰアクティベーション応答メッセージを受信するように構成され、ここで、第１のＰＤＰアクティベーション応答メッセージは、ＷｉＦｉ端末がＰＳサービスドメインにアクセスするために、第１のＧＧＳＮによってＷｉＦｉ端末に割り当てられた第１のＩＰアドレスを搬送する。例えば、トラステッドゲートウェイは、第１のＡＰＮに従って、具体的にどのＧＧＳＮと接続を確立するかを判定し、第１のＰＤＰアクティベーション要求メッセージを第１のＡＰＮに対応する第１のＧＧＳＮに送信する。第１のＰＤＰアクティベーション要求メッセージは、第１のＧＧＳＮがトラステッドゲートウェイと第１のＰＤＰコンテキスト接続を確立するために使用されるＷｉＦｉ端末の属性情報を搬送する。トラステッドゲートウェイによって送信された第１のＰＤＰアクティベーション要求メッセージを受信した後、第１のＧＧＳＮは第１のＩＰアドレスをＷｉＦｉ端末に割り当て、ここで、第１のＩＰアドレスはＷｉＦｉ端末がＰＳサービスドメインにアクセスするために使用される。そして、第１のＧＧＳＮは第１のＰＤＰアクティベーション応答メッセージをトラステッドゲートウェイに返信し、ここで、第１のＰＤＰアクティベーション応答メッセージは第１のＧＧＳＮによって割り当てられた第１のＩＰアドレスを搬送する。具体的には、第１のＧＧＳＮは、ネットワーキングに従って、対応する第１のＩＰアドレスをＷｉＦｉ端末に割り当てる。例えば、ＡＣがルーティング機能を有するならば、第１のＧＧＳＮによってＷｉＦｉ端末に割り当てられる第１のＩＰアドレスは、ＷｉＦｉ端末を管理するＡＣと同じネットワークセグメントに属し、ＡＣがルーティング機能を有さないならば、第１のＧＧＳＮは、ＷｉＦｉ端末を管理するＡＣと同じネットワークセグメントに限定されずに、第１のＩＰアドレスをＷｉＦｉ端末に割り当てる。接続確立ユニット６２は第１のＧＧＳＮによって返信された第１のＰＤＰアクティベーション応答メッセージを受信し、ここで、トラステッドゲートウェイは、第１のＰＤＰアクティベーション応答メッセージによって搬送された第１のＩＰアドレスに従って、無線ローカルエリアネットワーク内のＷｉＦｉ端末のセッション情報と、ＰＳサービスドメイン内のＷｉＦｉ端末のセッション情報との間の対応関係を確立する。すなわち、無線ローカルエリアネットワークのセッション情報は、ＷｉＦｉ端末を管理するＡＣのＮＡＳ−ＩＤ、等を含む。ＰＳサービスドメインのＷｉＦｉ端末のセッション情報は、第１のＩＰアドレス、および、第１のＰＤＰコンテキスト接続を確立するトラステッドゲートウェイと、第１のＧＧＳＮとの間のバインディングＧＴＰトンネル情報を含む。無線ローカルエリアネットワーク内のＷｉＦｉ端末のセッション情報と、トラステッドゲートウェイによって確立されたＰＳサービスドメイン内のＷｉＦｉ端末のセッション情報との間の対応関係は、この対応関係に従って、それぞれ、ＷｉＦｉ端末によって開始されたアップリンク・データ・トラフィック・フローを対応するＰＳサービスドメインにルーティングし、または、ＰＳサービスドメインによってＷｉＦｉ端末に向けて送信されたダウンリンク・データ・トラフィック・フローをＷｉＦｉ端末にルーティングするために使用される。
【０１６６】
さらに、送信ユニット８３は、接続確立ユニット６２が第１のＰＤＰコンテキスト接続または第１のＰＤＮ接続を確立した後、課金要求メッセージをＡＡＡサーバに送信して、ＡＡＡサーバにＷｉＦｉ端末を課金するように指示するように構成される。
【０１６７】
さらに、送信ユニット８３は、トラステッドゲートウェイがＰＳサービスドメインと第１のＰＤＰコンテキスト接続または第１のＰＤＮ接続を確立した後、ＷｉＦｉ端末がＰＳサービスドメインにアクセスするとき、第１のＰＤＰコンテキスト接続または第１のＰＤＮ接続を介して、ＷｉＦｉ端末によって開始されたアップリンク・データ・トラフィック・フローを伝達するデータパケットによって搬送されたアップリンク・データ・トラフィック・フローの宛先アドレスおよび第１のＩＰアドレスに従って、アップリンク・データ・トラフィック・フローを伝達するデータパケットを対応するＰＳサービスドメインに送信するように構成される。送信ユニット８３は、さらに、第１のＩＰアドレスに従って、ＰＳサービスドメインによってＷｉＦｉ端末に向けて送信されたダウンリンク・データ・トラフィック・フローを伝達するデータパケットをＷｉＦｉ端末に送信するように構成される。
【０１６８】
例えば、第２世代または第３世代通信ネットワークシステムにおいて、ＷｉＦｉ端末がインターネットサービスにアクセスするとき、ＷｉＦｉ端末によって送信されたインターネットサービスにアクセスするアップリンク・データ・トラフィック・フローを伝達するデータパケットを受信した後、ＡＣはデータパケットをトラステッドゲートウェイに転送し、ここで、データパケットは、アップリンク・データ・トラフィック・フローの宛先アドレス、第１のＩＰアドレス、ＷｉＦｉ端末を管理するＡＣのＮＡＳ−ＩＤ、等についての情報を搬送する。トラステッドゲートウェイがアップリンク・データ・トラフィック・フローを伝達するデータパケットを受信した後、送信ユニット８３は、無線ローカルエリアネットワーク内のＷｉＦｉ端末のセッション情報と、トラステッドゲートウェイにおいて確立されたＰＳサービスドメイン内のＷｉＦｉ端末のセッション情報との間の対応関係に従って、データパケットを第１のＧＧＳＮにルーティングし、それによってＷｉＦｉ端末は対応するＰＳサービスドメインにアクセスする。
【０１６９】
これと対応して、トラステッドゲートウェイがＰＳサービスドメインによってＷｉＦｉ端末に送信されたダウンリンク・データ・トラフィック・フローを受信したとき、無線ローカルエリアネットワーク内のＷｉＦｉ端末のセッション情報と、トラステッドゲートウェイにおいて確立されたＰＳサービスドメイン内のＷｉＦｉ端末のセッション情報との間の対応関係に従って、ＡＣがルーティング機能を有するならば、送信ユニット８３は、第１のＩＰアドレスに従って、ダウンリンク・データ・トラフィック・フローを伝達するデータパケットをＷｉＦｉ端末に送信し、ここで、第１のＩＰアドレスおよびＷｉＦｉ端末を管理するＡＣのＩＰアドレスは同じネットワークセグメントに属する。ＡＣがルーティング機能を有さないならば、送信ユニット８３は、第１のＩＰアドレスおよびＷｉＦｉ端末の属性情報におけるＮＡＳ−ＩＤに従って、ダウンリンク・データ・トラフィック・フローを伝達するデータパケットをＷｉＦｉ端末に送信する。
【０１７０】
さらに、接続確立ユニット６２は、ＷｉＦｉ端末がＰＳサービスドメインにアクセスするとき、アップリンク・データ・トラフィック・フローの宛先アドレスに従って、アップリンク・データ・トラフィック・フローに対応する第２のアクセスポイント名を判定するように構成される。接続確立ユニット６２は、さらに、第２のアクセスポイント名に対応する第２のＧＧＳＮと第１のＧＧＳＮが同じデバイスでない、または、第２のアクセスポイント名に対応する第２のＰ−ＧＷと第１のＰ−ＧＷが同じデバイスでないならば、第２のＧＧＳＮと第２のＰＤＰコンテキスト接続、または、第２のＰ−ＧＷと第２のＰＤＮ接続を確立し、ＰＳサービスドメインにアクセスするために、第２のＧＧＳＮによってＷｉＦｉ端末に割り当てられた第３のＩＰアドレスを取得するように構成される。
【０１７１】
送信ユニット８３は、さらに、アップリンク・データ・トラフィック・フローの宛先アドレスおよび第３のＩＰアドレスに従って、第２のＰＤＰコンテキスト接続を介して、アップリンク・データ・トラフィック・フローを伝達するデータパケットを対応するＰＳサービスドメインに送信するように構成される。送信ユニット８３は、さらに、第３のＩＰアドレスに従って、ＰＳサービスドメインによってＷｉＦｉ端末に送信に向けて送信され、第２のＰＤＰコンテキスト接続または第２のＰＤＮ接続を介して受信されたダウンリンク・データ・トラフィック・フローを伝達するデータパケットをＷｉＦｉ端末に送信するように構成される。
【０１７２】
さらに、受信ユニット６１は、ＷｉＦｉ端末がオフラインに移行した後、ＡＡＡサーバによって送信された課金終了メッセージを受信するように構成される。接続削除ユニット８４は、受信ユニット６１が課金終了メッセージを受信した後、第１のＰＤＰコンテキスト接続または第１のＰＤＮ接続を削除するように構成される。
【０１７３】
さらに、トラステッドゲートウェイが第２のＰＤＰコンテキスト接続または第２のＰＤＮ接続を確立したならば、接続削除ユニット８４は、受信ユニット６１が課金終了メッセージを受信した後、同時に、第２のＰＤＰコンテキスト接続または第２のＰＤＮ接続を削除する。
【０１７４】
具体的には、ＷｉＦｉ端末がＰＳサービスドメインにアクセスするとき、ＡＣはＰＳサービスドメインにアクセスするＷｉＦｉ端末の状態を監視し、ＰＳサービスドメインにアクセスするＷｉＦｉ端末のトラフィック、持続時間、等についての情報を定期的に報告する。ＡＡＡサーバは、ＡＣによって報告されたトラフィック、持続時間、等についての情報に従ってＣＤＲを更新し、課金応答メッセージをＡＣに送信する。ＷｉＦｉ端末がオフライン要求メッセージを開始したとき、または、ＷｉＦｉ端末が弱い信号の状態でＡＣとの通信を切断した後、ＡＣが課金終了メッセージをＡＡＡサーバに送信した後、ＡＡＡサーバは、ＣＤＲファイルを閉じ、課金終了メッセージをトラステッドゲートウェイに送信することによって課金終了メッセージに応答する。受信ユニット６１が課金終了メッセージを受信した後、接続削除ユニット８４は、第１のＰＤＰコンテキスト接続または第１のＰＤＮ接続を削除する。
【０１７５】
受信ユニット６１によって受信されたのがＷｉＦｉ端末によって送信されたＤＨＣＰ要求メッセージならば、図８に表わされているように、送信ユニット８３は、認証要求メッセージをＡＡＡサーバに送信して、ＡＡＡサーバがＷｉＦｉ端末を認証するように要求するように構成される。
【０１７６】
受信ユニット６１は、さらに、ＡＡＡサーバによって送信されたアクセス応答メッセージを受信するように構成され、ここで、アクセス応答メッセージはＷｉＦｉ端末の属性情報を搬送する。
【０１７７】
ＡＡＡサーバは、送信ユニット８３によって送信されたアクセス要求メッセージを受信し、アクセス応答メッセージをトラステッドゲートウェイに送信することによってアクセス要求メッセージに応答し、ここで、アクセス応答メッセージはＷｉＦｉ端末の属性情報を搬送する。
【０１７８】
ＷｉＦｉ端末の属性情報は、ＷｉＦｉ端末の第２のＩＰアドレス、ＩＭＳＩ、第１のＡＰＮ、ＷｉＦｉ端末のＱｏＳ情報、および、ＷｉＦｉ端末を管理するＡＣのＮＡＳ−ＩＤを含む。
【０１７９】
ＷｉＦｉ端末の属性情報における第１のＡＰＮまたはＱｏＳ情報は、トラステッドゲートウェイによってＡＡＡサーバから取得することができ、ＡＡＡサーバは運営者と加入の時に合意されたＷｉＦｉ端末の加入情報を記憶する。ＡＰＮおよびＷｉＦｉ端末のＱｏＳ情報が加入の時に合意されていないならば、トラステッドゲートウェイは、ＷｉＦｉ端末がＰＳサービスドメインにアクセスするために、ＰＳサービスドメインとの第１のＰＤＰコンテキスト接続または第１のＰＤＮ接続の確立において、ＡＰＮおよびＱｏＳの所定のデフォルト値を採用することもできる。
【０１８０】
ＷｉＦｉ端末の属性情報を取得した後、受信ユニット６１はＡＣを通してＷｉＦｉ端末によって送信されたＤＨＣＰ要求メッセージを受信する。ＡＣはＤＨＣＰ要求メッセージをトラステッドゲートウェイに送信し、ここで、端末のＭＡＣアドレスまたはＮＡＩのようなＷｉＦｉ端末の識別番号がＤＨＣＰ要求メッセージにカプセル化される。ＤＨＣＰ要求メッセージを受信した後、トラステッドゲートウェイは第１のＰＤＰコンテキスト接続または第１のＰＤＮ接続を確立するようにトリガされる。
【０１８１】
接続確立ユニット６２は、第１のアクセスポイント名に対応する第１のＧＧＳＮと第１のＰＤＰコンテキスト接続、または、第１のアクセスポイント名に対応するＰ−ＧＷと第１のＰＤＮ接続を確立し、第１のＧＧＳＮまたは第１のＰ−ＧＷによってＷｉＦｉ端末に割り当てられた第１のＩＰアドレスを取得するように構成される。
【０１８２】
送信ユニット８３は、接続確立ユニットが第１のＰＤＰコンテキスト接続または第１のＰＤＮ接続を確立した後、ＤＨＣＰ応答メッセージをＷｉＦｉ端末に送信するように構成される。
【０１８３】
具体的には、第２世代または第３世代通信ネットワークにおいて、接続確立ユニット６２は、さらに、第１のＰＤＰアクティベーション要求メッセージを第１のアクセスポイント名に対応する第１のＧＧＳＮに送信し、第１のＧＧＳＮによって返信された第１のＰＤＰアクティベーション応答メッセージを受信するように構成され、ここで、第１のＰＤＰアクティベーション応答メッセージは、ＷｉＦｉ端末がＰＳサービスドメインにアクセスするために、第１のＧＧＳＮによってＷｉＦｉ端末に割り当てられた第１のＩＰアドレスを搬送する。例えば、接続確立ユニット６２は、第１のＡＰＮに従って、トラステッドゲートウェイが具体的にどのＧＧＳＮと接続を確立する必要があるかを判定し、第１のＰＤＰアクティベーション要求メッセージを第１のＡＰＮに対応する第１のＧＧＳＮに送信する。第１のＰＤＰアクティベーション要求メッセージは、第１のＧＧＳＮがトラステッドゲートウェイと第１のＰＤＰコンテキスト接続を確立するために使用されるＷｉＦｉ端末の属性情報を搬送する。トラステッドゲートウェイによって送信された第１のＰＤＰアクティベーション要求メッセージを受信した後、第１のＧＧＳＮは第１のＩＰアドレスをＷｉＦｉ端末に割り当て、ここで、第１のＩＰアドレスはＷｉＦｉ端末がＰＳサービスドメインにアクセスするために使用される。そして、第１のＧＧＳＮは第１のＰＤＰアクティベーション応答メッセージをトラステッドゲートウェイに返信し、ここで、第１のＰＤＰアクティベーション応答メッセージは第１のＧＧＳＮによって割り当てられた第１のＩＰアドレスを搬送する。具体的には、第１のＧＧＳＮは、ネットワーキングに従って、対応する第１のＩＰアドレスをＷｉＦｉ端末に割り当てる。例えば、ＡＣがルーティング機能を有するならば、第１のＧＧＳＮによってＷｉＦｉ端末に割り当てられる第１のＩＰアドレスは、ＷｉＦｉ端末を管理するＡＣと同じネットワークセグメントに属し、ＡＣがルーティング機能を有さないならば、第１のＧＧＳＮは、ＷｉＦｉ端末を管理するＡＣと同じネットワークセグメントに限定されずに、第１のＩＰアドレスをＷｉＦｉ端末に割り当てることができる。接続確立ユニット６２は第１のＧＧＳＮによって返信された第１のＰＤＰアクティベーション応答メッセージを受信し、ここで、トラステッドゲートウェイは第１のＰＤＰアクティベーション応答メッセージによって搬送された第１のＩＰアドレスに従って、無線ローカルエリアネットワーク内のＷｉＦｉ端末のセッション情報と、ＰＳサービスドメイン内のＷｉＦｉ端末のセッション情報との間の対応関係を確立する。すなわち、無線ローカルエリアネットワークのセッション情報は、ＷｉＦｉ端末を管理するＡＣのＮＡＳ−ＩＤ、等を含む。ＰＳサービスドメインのＷｉＦｉ端末のセッション情報は、第１のＩＰアドレス、および、第１のＰＤＰコンテキスト接続を確立するトラステッドゲートウェイと、第１のＧＧＳＮとの間のバインディングＧＴＰトンネル情報を含む。無線ローカルエリアネットワーク内のＷｉＦｉ端末のセッション情報と、トラステッドゲートウェイによって確立されたＰＳサービスドメイン内のＷｉＦｉ端末のセッション情報との間の対応関係は、この対応関係に従って、それぞれ、ＷｉＦｉ端末によって開始されたアップリンク・データ・トラフィック・フローを対応するＰＳサービスドメインにルーティングし、または、ＰＳサービスドメインによってＷｉＦｉ端末に向けて送信されたダウンリンク・データ・トラフィック・フローをＷｉＦｉ端末にルーティングするために使用される。
【０１８４】
さらに、送信ユニット８３は、接続確立ユニット６２が第１のＰＤＰコンテキスト接続または第１のＰＤＮ接続を確立した後、課金要求メッセージをＡＡＡサーバに送信して、ＡＡＡサーバにＷｉＦｉ端末を課金するように指示するように構成される。
【０１８５】
具体的には、ＷｉＦｉ端末がＰＳサービスドメインにアクセスするとき、トラステッドゲートウェイはＰＳサービスドメインにアクセスするＷｉＦｉ端末の状態を監視し、ＰＳサービスドメインにアクセスするＷｉＦｉ端末のトラフィック、持続時間、等についての情報をＡＡＡサーバに定期的に報告する。ＡＡＡサーバは、トラステッドゲートウェイによって報告されたトラフィック、持続時間、等についての情報に従ってＷｉＦｉ端末に課金し、ＣＤＲを更新し、課金応答メッセージをトラステッドゲートウェイに送信する。
【０１８６】
さらに、ＷｉＦｉ端末がＰＳサービスドメインにアクセスするとき、送信ユニット８３は、第１のＰＤＰコンテキスト接続または第１のＰＤＮ接続を介して、ＷｉＦｉ端末によって開始されたアップリンク・データ・トラフィック・フローを伝達するデータパケットによって搬送されたアップリンク・データ・トラフィック・フローの宛先アドレスおよび第１のＩＰアドレスに従って、アップリンク・データ・トラフィック・フローを伝達するデータパケットを対応するＰＳサービスドメインに送信する。送信ユニット８３は、さらに、第１のＩＰアドレスに従って、ＰＳサービスドメインによってＷｉＦｉ端末に向けて送信されたダウンリンク・データ・トラフィック・フローを伝達するデータパケットをＷｉＦｉ端末に送信するように構成される。
【０１８７】
例えば、第２世代または第３世代通信ネットワークにおいて、ＷｉＦｉ端末がインターネットサービスにアクセスするとき、ＡＣがＷｉＦｉ端末によって開始されたインターネットサービスにアクセスするアップリンク・データ・トラフィック・フローを伝達するデータパケットを受信した後、ＡＣはデータパケットをトラステッドゲートウェイに転送し、ここで、データパケットは、アップリンク・データ・トラフィック・フローの宛先アドレス、第１のＩＰアドレス、ＷｉＦｉ端末を管理するＡＣのＮＡＳ−ＩＤ、等についての情報を搬送する。アップリンク・データ・トラフィック・フローを伝達するデータパケットを受信した後、トラステッドゲートウェイの送信ユニット８３は、無線ローカルエリアネットワーク内のＷｉＦｉ端末のセッション情報と、トラステッドゲートウェイにおいて確立されたＰＳサービスドメイン内のＷｉＦｉ端末のセッション情報との間の対応関係に従って、データパケットを第１のＧＧＳＮにルーティングし、それによってＷｉＦｉ端末は対応するＰＳサービスドメインにアクセスする。
【０１８８】
これと対応して、トラステッドゲートウェイがＰＳサービスドメインによってＷｉＦｉ端末に向けて送信されたダウンリンク・データ・トラフィック・フローを受信したとき、無線ローカルエリアネットワーク内のＷｉＦｉ端末のセッション情報と、トラステッドゲートウェイにおいて確立されたＰＳサービスドメイン内のＷｉＦｉ端末のセッション情報との間の対応関係に従って、ＡＣがルーティング機能を有するならば、送信ユニット８３は、第１のＩＰアドレスに従って、ダウンリンク・データ・トラフィック・フローを伝達するデータパケットをＷｉＦｉ端末に送信し、ここで、第１のＩＰアドレスおよびＷｉＦｉ端末を管理するＡＣのＩＰアドレスは同じネットワークセグメントに属する。ＡＣがルーティング機能を有さないならば、送信ユニット８３は、第１のＩＰアドレスおよびＷｉＦｉ端末の属性情報におけるＮＡＳ−ＩＤに従って、ダウンリンク・データ・トラフィック・フローを伝達するデータパケットをＷｉＦｉ端末に送信する。
【０１８９】
さらに、接続確立ユニット６２は、ＷｉＦｉ端末がＰＳサービスドメインにアクセスするとき、アップリンク・データ・トラフィック・フローの宛先アドレスに従って、アップリンク・データ・トラフィック・フローに対応する第２のアクセスポイント名を判定するように構成される。第２のアクセスポイント名に対応する第２のＧＧＳＮと第１のＧＧＳＮが同じデバイスでない、または、第２のアクセスポイント名に対応する第２のＰ−ＧＷと第１のＰ−ＧＷが同じデバイスでないならば、第２のＧＧＳＮとの第２のＰＤＰコンテキスト接続、または、第２のＰ−ＧＷとの第２のＰＤＮ接続が確立され、ＰＳサービスドメインにアクセスするために、第２のＧＧＳＮまたは第２のＰ−ＧＷによってＷｉＦｉ端末に割り当てられた第３のＩＰアドレスが取得される。
【０１９０】
送信ユニット８３は、さらに、アップリンク・データ・トラフィック・フローの宛先アドレスおよび第３のＩＰアドレスに従って、第２のＰＤＰコンテキスト接続または第２のＰＤＮ接続を介して、アップリンク・データ・トラフィック・フローを伝達するデータパケットを対応するＰＳサービスドメインに送信し、第３のＩＰアドレスに従って、ＰＳサービスドメインによってＷｉＦｉ端末に送信され、第２のＰＤＰコンテキスト接続または第２のＰＤＮ接続を介して受信されたダウンリンク・データ・トラフィック・フローのデータパケットをＷｉＦｉ端末に送信するように構成される。
【０１９１】
さらに、送信ユニット８３は、ＷｉＦｉ端末がオフラインに移行したとき、課金終了メッセージをＡＡＡサーバに送信するように構成される。
【０１９２】
接続削除ユニット８４は、送信ユニットが課金終了メッセージをＡＡＡサーバに送信した後、第１のＰＤＰコンテキスト接続または第１のＰＤＮ接続を削除するように構成される。
【０１９３】
さらに、トラステッドゲートウェイが第２のＰＤＰコンテキスト接続または第２のＰＤＮ接続を確立したならば、接続削除ユニット８４は、送信ユニット８３が課金終了メッセージをＡＡＡサーバに送信した後、同時に、第２のＰＤＰコンテキスト接続または第２のＰＤＮ接続を削除する。
【０１９４】
具体的には、ＷｉＦｉ端末がオフライン要求メッセージを開始したとき、または、ＷｉＦｉ端末が弱い信号の状態でトラステッドゲートウェイとの通信を切断した後、送信ユニット８３が課金終了メッセージをＡＡＡサーバに送信した後、ＡＡＡサーバは、ＣＤＲファイルを閉じ、課金終了メッセージに応答する。一方、接続削除ユニット８４は第１のＰＤＰコンテキスト接続または第１のＰＤＮ接続を削除する。
【０１９５】
受信ユニット６１によって受信されたのがＷｉＦｉ端末によって送信されたＤＨＣＰ要求メッセージであるとき、ＤＨＣＰ要求メッセージは、ＰＳサービスドメインと第１のＰＤＰコンテキスト接続または第１のＰＤＮ接続を確立するようにトラステッドゲートウェイをトリガするために使用される。図９に表わされているように、トラステッドゲートウェイ９０は、送信ユニット９３、取得ユニット９４、および、接続削除ユニット９５をさらに含むことができる。
【０１９６】
送信ユニット９３は、アクセスコントローラＡＣがＡＡＡサーバにＷｉＦｉ端末を認証するように要求するために使用される認証要求メッセージをＡＡＡサーバに転送するように構成され、さらに、ＷｉＦｉ端末を認証するＡＡＡサーバから生じた認証応答メッセージをＡＣに転送するように構成され、ここで、認証応答メッセージはＷｉＦｉ端末の属性情報を搬送する。
【０１９７】
本発明におけるトラステッドゲートウェイはＡＣとＡＡＡサーバの間の中継装置として機能する。まず、ＷｉＦｉ端末は、ＷＬＡＮに結合し、無線ローカルエリアネットワークの無線アクセスポイントにアクセスする。ＡＣは認証要求メッセージをＡＡＡサーバに送信する。中継装置として、トラステッドゲートウェイの送信ユニット９３はＡＣによって送信された認証要求メッセージをＡＡＡサーバに転送する。
【０１９８】
ＡＡＡサーバがＷｉＦｉ端末の認証に成功した後、ＡＡＡサーバは認証応答メッセージをＡＣに送信する。トラステッドゲートウェイの受信ユニット６１がＡＡＡサーバによって送信された認証応答メッセージを受信した後、送信ユニット９３は認証応答メッセージをＡＣに転送し、ここで、認証応答メッセージはＷｉＦｉ端末の属性情報を搬送する。
【０１９９】
取得ユニット９４は認証応答メッセージからＷｉＦｉ端末の属性情報を取得するように構成される。
【０２００】
トラステッドゲートウェイの受信ユニット６１がＡＡＡサーバによって送信された認証応答メッセージを受信した後、トラステッドゲートウェイの取得ユニット９４はＡＡＡサーバによって送信された認証応答メッセージを解析し、認証応答メッセージからＷｉＦｉ端末の属性情報を取得する。ＷｉＦｉ端末の属性情報は、ＷｉＦｉ端末の第２のＩＰアドレス、ＩＭＳＩ、第１のＡＰＮ、ＷｉＦｉ端末のＱｏＳ、および、ＮＡＳ−ＩＤを含む。
【０２０１】
ＷｉＦｉ端末の属性情報における第１のＡＰＮまたはＱｏＳ情報は、トラステッドゲートウェイによってＡＡＡサーバから取得することができ、ＡＡＡサーバは運営者と加入の時に合意されたＷｉＦｉ端末の加入情報を記憶する。ＡＰＮおよびＷｉＦｉ端末のＱｏＳ情報が加入の時に合意されていないならば、トラステッドゲートウェイは、ＷｉＦｉ端末がＰＳサービスドメインにアクセスするために、ＰＳサービスドメインとの第１のＰＤＰコンテキスト接続または第１のＰＤＮ接続の確立において、ＡＰＮおよびＱｏＳの所定のデフォルト値を採用することもできる。
【０２０２】
接続確立ユニット６２は、第１のアクセスポイント名に対応する第１のＧＧＳＮと第１のＰＤＰコンテキスト接続、または、第１のアクセスポイント名に対応するＰ−ＧＷと第１のＰＤＮ接続を確立し、第１のＧＧＳＮまたは第１のＰ−ＧＷによってＷｉＦｉ端末に割り当てられた第１のＩＰアドレスを取得するように構成される。
【０２０３】
送信ユニット８３は、さらに、接続確立ユニットが第１のＰＤＰコンテキスト接続または第１のＰＤＮ接続を確立した後、ＤＨＣＰ応答メッセージをＷｉＦｉ端末に送信するように構成され、ここで、ＤＨＣＰ応答メッセージは第１のＩＰアドレスを搬送する。
【０２０４】
具体的には、第２世代または第３世代通信ネットワークにおいて、接続確立ユニット６２は、さらに、第１のＰＤＰアクティベーション要求メッセージを第１のアクセスポイント名に対応する第１のＧＧＳＮに送信し、第１のＧＧＳＮによって返信された第１のＰＤＰアクティベーション応答メッセージを受信するように構成され、ここで、第１のＰＤＰアクティベーション応答メッセージは、ＷｉＦｉ端末がＰＳサービスドメインにアクセスするために、第１のＧＧＳＮによってＷｉＦｉ端末に割り当てられた第１のＩＰアドレスを搬送し、接続確立ユニット６２は、さらに、ＤＨＣＰ応答メッセージをＷｉＦｉ端末に送信するように構成され、ここで、ＤＨＣＰ応答メッセージは第１のＩＰアドレスを搬送する。例えば、接続確立ユニット６２は、第１のＡＰＮに従って、トラステッドゲートウェイが具体的にどのＧＧＳＮと接続を確立する必要があるかを判定し、第１のＰＤＰアクティベーション要求メッセージを第１のＡＰＮに対応する第１のＧＧＳＮに送信する。第１のＰＤＰアクティベーション要求メッセージは、第１のＧＧＳＮがトラステッドゲートウェイと第１のＰＤＰコンテキスト接続を確立するために使用されるＷｉＦｉ端末の属性情報を搬送する。トラステッドゲートウェイによって送信されたアクティベーション要求メッセージを受信した後、第１のＧＧＳＮは第１のＩＰアドレスをＷｉＦｉ端末に割り当て、ここで、第１のＩＰアドレスはＷｉＦｉ端末がＰＳサービスドメインにアクセスするために使用される。そして、第１のＧＧＳＮは第１のＰＤＰアクティベーション応答メッセージをトラステッドゲートウェイに返信し、ここで、第１のＰＤＰアクティベーション応答メッセージは第１のＧＧＳＮによって割り当てられた第１のＩＰアドレスを搬送する。具体的には、第１のＧＧＳＮは、ネットワーキングに従って、対応する第１のＩＰアドレスをＷｉＦｉ端末に割り当てる。例えば、ＡＣがルーティング機能を有するならば、第１のＧＧＳＮによってＷｉＦｉ端末に割り当てられる第１のＩＰアドレスは、ＷｉＦｉ端末を管理するＡＣと同じネットワークセグメントに属し、ＡＣがルーティング機能を有さないならば、第１のＧＧＳＮは、ＷｉＦｉ端末を管理するＡＣと同じネットワークセグメントに限定されずに、第１のＩＰアドレスをＷｉＦｉ端末に割り当てることができる。接続確立ユニット６２は第１のＧＧＳＮによって返信された第１のＰＤＰアクティベーション応答メッセージを受信し、ここで、トラステッドゲートウェイは第１のＰＤＰアクティベーション応答メッセージによって搬送された第１のＩＰアドレスに従って、無線ローカルエリアネットワーク内のＷｉＦｉ端末のセッション情報と、ＰＳサービスドメイン内のＷｉＦｉ端末のセッション情報との間の対応関係を確立する。すなわち、無線ローカルエリアネットワークのセッション情報は、ＷｉＦｉ端末を管理するＡＣのＮＡＳ−ＩＤ、等を含む。ＰＳサービスドメインのＷｉＦｉ端末のセッション情報は、第１のＩＰアドレス、および、第１のＰＤＰコンテキスト接続を確立するトラステッドゲートウェイと、第１のＧＧＳＮとの間のバインディングＧＴＰトンネル情報を含む。無線ローカルエリアネットワーク内のＷｉＦｉ端末のセッション情報と、トラステッドゲートウェイによって確立されたＰＳサービスドメイン内のＷｉＦｉ端末のセッション情報との間の対応関係は、この対応関係に従って、それぞれ、ＷｉＦｉ端末によって開始されたアップリンク・データ・トラフィック・フローを対応するＰＳサービスドメインにルーティングし、または、ＰＳサービスドメインによってＷｉＦｉ端末に向けて送信されたダウンリンク・データ・トラフィック・フローをＷｉＦｉ端末にルーティングするために使用される。
【０２０５】
さらに、送信ユニット９３は、トラステッドゲートウェイがＰＳサービスドメインと第１のＰＤＰコンテキスト接続または第１のＰＤＮ接続を確立した後、ＷｉＦｉ端末がＰＳサービスドメインにアクセスするとき、第１のＰＤＰコンテキスト接続または第１のＰＤＮ接続を介して、ＷｉＦｉ端末によって開始されたアップリンク・データ・トラフィック・フローを伝達するデータパケットによって搬送されたアップリンク・データ・トラフィック・フローの宛先アドレスおよび第１のＩＰアドレスに従って、アップリンク・データ・トラフィック・フローを伝達するデータパケットを対応するＰＳサービスドメインに送信するように構成される。送信ユニット９３は、さらに、第１のＩＰアドレスに従って、ＰＳサービスドメインによってＷｉＦｉ端末に向けて送信されたダウンリンク・データ・トラフィック・フローを伝達するデータパケットをＷｉＦｉ端末に送信するように構成される。
【０２０６】
例えば、第２世代または第３世代通信ネットワークシステムにおいて、ＷｉＦｉ端末がインターネットサービスにアクセスするとき、ＡＣがＷｉＦｉ端末によって送信されたインターネットサービスにアクセスするアップリンク・データ・トラフィック・フローを伝達するデータパケットを受信した後、ＡＣはデータパケットをトラステッドゲートウェイに転送し、ここで、データパケットは、アップリンク・データ・トラフィック・フローの宛先アドレス、第１のＩＰアドレス、ＷｉＦｉ端末を管理するＡＣのＮＡＳ−ＩＤ、等についての情報を搬送する。トラステッドゲートウェイがアップリンク・データ・トラフィック・フローを伝達するデータパケットを受信した後、送信ユニット９３は、無線ローカルエリアネットワーク内のＷｉＦｉ端末のセッション情報と、トラステッドゲートウェイにおいて確立されたＰＳサービスドメイン内のＷｉＦｉ端末のセッション情報との間の対応関係に従って、データパケットを第１のＧＧＳＮにルーティングし、それによってＷｉＦｉ端末は対応するＰＳサービスドメインにアクセスする。
【０２０７】
これと対応して、トラステッドゲートウェイがＰＳサービスドメインによってＷｉＦｉ端末に向けて送信されたダウンリンク・データ・トラフィック・フローを受信したとき、無線ローカルエリアネットワーク内のＷｉＦｉ端末のセッション情報と、トラステッドゲートウェイにおいて確立されたＰＳサービスドメイン内のＷｉＦｉ端末のセッション情報との間の対応関係に従って、ＡＣがルーティング機能を有するならば、送信ユニット９３は、第１のＩＰアドレスに従って、ダウンリンク・データ・トラフィック・フローを伝達するデータパケットをＷｉＦｉ端末に送信し、ここで、第１のＩＰアドレスおよびＷｉＦｉ端末を管理するＡＣのＩＰアドレスは同じネットワークセグメントに属する。ＡＣがルーティング機能を有さないならば、送信ユニット９３は、第１のＩＰアドレスおよびＷｉＦｉ端末の属性情報におけるＮＡＳ−ＩＤに従って、ダウンリンク・データ・トラフィック・フローを伝達するデータパケットをＷｉＦｉ端末に送信する。
【０２０８】
さらに、ＷｉＦｉ端末がＰＳサービスドメインにアクセスするとき、接続確立ユニット６２は、さらに、アップリンク・データ・トラフィック・フローの宛先アドレスに従って、アップリンク・データ・トラフィック・フローに対応する第２のアクセスポイント名を判定するように構成される。第２のアクセスポイント名に対応する第２のＧＧＳＮと第１のＧＧＳＮが同じデバイスでない、または、第２のアクセスポイント名に対応する第２のＰ−ＧＷと第１のＰ−ＧＷが同じデバイスでないならば、接続確立ユニット６２は、第２のＧＧＳＮと第２のＰＤＰコンテキスト接続、または、第２のＰ−ＧＷと第２のＰＤＮ接続を確立し、ＰＳサービスドメインにアクセスするために、第２のＧＧＳＮまたは第２のＰ−ＧＷによってＷｉＦｉ端末に割り当てられた第３のＩＰアドレスを取得する。
【０２０９】
送信ユニット９３は、さらに、アップリンク・データ・トラフィック・フローの宛先アドレスおよび第３のＩＰアドレスに従って、第２のＰＤＰコンテキスト接続または第２のＰＤＮ接続を介して、アップリンク・データ・トラフィック・フローを伝達するデータパケットを対応するＰＳサービスドメインに送信するように構成される。送信ユニット９３は、さらに、第３のＩＰアドレスに従って、ＰＳサービスドメインによってＷｉＦｉ端末に送信され、第２のＰＤＰコンテキスト接続または第２のＰＤＮ接続を介して受信されたダウンリンク・データ・トラフィック・フローのデータパケットをＷｉＦｉ端末に送信するように構成される。
【０２１０】
さらに、送信ユニット９３は、接続確立ユニット６２が第１のＰＤＰコンテキスト接続または第１のＰＤＮ接続を確立した後、課金要求メッセージをＡＡＡサーバに送信して、ＡＡＡサーバにＷｉＦｉ端末を課金するように指示するように構成される。
【０２１１】
具体的には、ＷｉＦｉ端末がＰＳサービスドメインにアクセスするとき、ＡＣはＰＳサービスドメインにアクセスするＷｉＦｉ端末の状態を監視し、ＰＳサービスドメインにアクセスするＷｉＦｉ端末のトラフィック、持続時間、等についての情報を定期的に報告する。送信ユニット９３はＡＣによって報告されたトラフィックおよび持続時間についての情報をＡＡＡサーバに転送する。ＡＡＡサーバは、ＡＣによって報告されたトラフィック、持続時間、等についての情報に従ってＣＤＲを更新し、課金応答メッセージをＡＣに送信する。
【０２１２】
さらに、送信ユニット９３は、ＷｉＦｉ端末がオフラインに移行したとき、ＡＣによって送信された課金終了メッセージをＡＡＡサーバに転送するように構成される。
【０２１３】
接続削除ユニット９５は、送信ユニット９３によって転送された課金終了メッセージに従って、トラステッドゲートウェイの第１のＰＤＰコンテキスト接続または第１のＰＤＮ接続を削除するように構成される。
【０２１４】
さらに、トラステッドゲートウェイが第２のＰＤＰコンテキスト接続または第２のＰＤＮ接続を確立したならば、接続削除ユニット９５は、送信ユニット９３によって転送された課金終了メッセージに従って、第２のＰＤＰコンテキスト接続または第２のＰＤＮ接続を削除する。
【０２１５】
具体的には、ＷｉＦｉ端末がオフライン要求メッセージを開始したとき、または、ＷｉＦｉ端末が弱い信号の状態でトラステッドゲートウェイとの通信を切断した後、ＡＣは課金終了メッセージをＡＡＡサーバに送信し、送信ユニット９３はＡＣによって送信された課金終了メッセージをＡＡＡサーバに転送する。一方、接続削除ユニット９５は課金終了メッセージに従ってトラステッドゲートウェイの第１のＰＤＰコンテキスト接続または第１のＰＤＮ接続を削除する。トラステッドゲートウェイによって転送された課金終了メッセージを受信した後、ＡＡＡサーバは、課金終了メッセージに応答し、ＣＤＲファイルを閉じる。
【０２１６】
本発明の実施例によって提供される、ＷｉＦｉ端末がＰＳサービスドメインにアクセスするためのトラステッドゲートウェイにおいて、トラステッドゲートウェイは、受信ユニットによって受信された課金要求メッセージまたはＤＨＣＰ要求メッセージによって第１のＰＤＰコンテキスト接続または第１のＰＤＮ接続を確立するようにトリガされ、トラステッドゲートウェイをＰＳサービスドメインのアクセスポイントにし、ＷｉＦｉ端末が無線ローカルエリアネットワーク、トラステッドゲートウェイ、および、確立されたＰＤＰコンテキスト接続またはＰＤＮ接続を介してＰＳサービスドメインにアクセスすることを可能にする。この方法において、端末とトラステッドゲートウェイの間に特定のトンネルを確立する必要はなく、ＷｉＦｉ端末は２回認証される必要はなく、これは、ＷｉＦｉ端末の負荷を軽減し、ＷｉＦｉ端末の動作の複雑さおよびコストを減少させる。
【０２１７】
さらに、本発明の実施例に関するトラステッドゲートウェイは、別個に、または、例えばＧＧＳＮ、ＰＤＧ、または、Ｐ−ＧＷのような既存のネットワーク要素に配置することができる。
【０２１８】
上記の方法の実施例における処理の全部または一部は、コンピュータ読み取り可能な記憶媒体に記憶させることができ、実行されるとき上述した方法の実施例における処理を実行するプログラム命令と関連付けられたハードウェアを用いて実現できることをこの技術分野の当業者は理解する。上記の記憶媒体は、ＲＯＭ、ＲＡＭ、磁気ディスク、光ディスク、等を含む、プログラムコードを記憶できる各種の媒体を含む。
【０２１９】
上記の説明は、本発明の保護範囲を限定するのではなく、本発明のいくつかの具体的な実現に過ぎない。本発明によって開示される技術的範囲内でこの技術分野の当業者に容易に想到されるどのような変更または置換も本発明の保護範囲にある。従って、本発明の保護範囲は請求項によって定義される。
【符号の説明】
【０２２０】
６０、８０、９０  ゲートウェイ
６１  受信ユニット
６２  接続確立ユニット
７３  アドレス変換ユニット
７４、８３９３  送信ユニット
７５、８４、９５  接続除去ユニット
９４  取得ユニット
【図１】
0005903728.tif 000002
【図２】
0005903728.tif 000003
【図３】
0005903728.tif 000004
【図４】
0005903728.tif 000005
【図５】
0005903728.tif 000006
【図６】
0005903728.tif 000007
【図７】
0005903728.tif 000008
【図８】
0005903728.tif 000009
【図９】
0005903728.tif 000010